(57)【要約】【課題】左右一対の表示装置を設けて両眼視による映像認識を可能とするものであって、画像表示を大きいものと感じさせつつ種々の態様の画像表示ができる頭部搭載型表示装置及び頭部搭載型表示装置の表示制御方法を提供する。【解決手段】第１及び第２表示装置１００Ａ，１００Ｂにおいて、左右の眼に共通内容の画像表示を行う第１及び第２共通表示エリアをそれぞれ有している上で、第１及び第２表示装置１００Ａ，１００Ｂのうち少なくとも一方において拡張表示エリアを有し、表示制御部１５０としてのＣＰＵ１１０において、第１及び第２共通表示エリア用の共通画像情報と拡張表示エリア用の拡張画像情報とを含む信号を生成する。【選択図】図１３
2018054976.tif 000002
【特許請求の範囲】
【請求項１】
左右の眼に対応して画像表示を行う第１及び第２表示部を備え、
前記第１及び第２表示部は、共通内容の画像表示を行う第１及び第２共通表示エリアを有し、前記第１及び第２表示部のうち少なくとも一方は、画像表示のエリアを拡張する拡張表示エリアを有する、頭部搭載型表示装置。
【請求項２】
前記第１表示部と第２表示部とは、前記拡張表示エリアとして、互いに他方における表示とは異なる内容の画像表示を行う第１拡張表示エリアと第２拡張表示エリアとを有する、請求項１に記載の頭部搭載型表示装置。
【請求項３】
前記第１及び第２表示部は、前記第１及び第２共通表示エリアでの画像表示において立体視画像を形成させる、請求項１及び２のいずれか一項に記載の頭部搭載型表示装置。
【請求項４】
前記第１及び第２表示部は、前記第１及び第２共通表示エリアによる視認範囲として、少なくとも弁別視野の範囲を含む画像表示を行う、請求項１〜３のいずれか一項に記載の頭部搭載型表示装置。
【請求項５】
前記第１及び第２表示部は、前記第１及び第２共通表示エリアによる視認範囲として、画角１０°の範囲を含む画像表示を行う、請求項４に記載の頭部搭載型表示装置。
【請求項６】
前記第１及び第２表示部は、左右の眼の光軸の中心を基準として前記第１及び第２共通表示エリアを重ねて視認させる画像表示を行う、請求項１〜５のいずれか一項に記載の頭部搭載型表示装置。
【請求項７】
前記第１及び第２表示部は、左右の眼に対応した映像光を生じさせる第１及び第２画像表示素子を有する、請求項１〜６のいずれか一項に記載の頭部搭載型表示装置。
【請求項８】
前記第１及び第２画像表示素子は、１つの表示パネル領域を有し、当該表示パネル領域を、前記第１及び第２共通表示エリアの映像光を生じさせる第１領域と前記拡張表示エリアの映像光を生じさせる第２領域とに応じて分割している、請求項７に記載の頭部搭載型表示装置。
【請求項９】
前記第１及び第２画像表示素子は、前記第１及び第２共通表示エリアと前記拡張表示エリアとに応じて個別の表示パネル領域を有している、請求項７に記載の頭部搭載型表示装置。
【請求項１０】
前記第１及び第２表示部は、中心光軸から、前記第１及び第２画像表示素子の表示パネル領域の中心をずらしている、請求項７〜９のいずれか一項に記載の頭部搭載型表示装置。
【請求項１１】
前記拡張表示エリアは、前記第１共通表示エリア及び／又は第２共通表示エリアの外縁側に連続的に隣接している、請求項１〜１０のいずれか一項に記載の頭部搭載型表示装置。
【請求項１２】
前記第１及び第２表示部の表示動作を制御するための映像信号を送信して画像表示の制御をする表示制御部をさらに備え、
前記表示制御部は、前記第１及び第２表示部に送信する映像信号として、前記第１及び第２共通表示エリア用の共通画像情報と前記拡張表示エリア用の拡張画像情報とを含む信号を生成する、請求項１〜１１のいずれか一項に記載の頭部搭載型表示装置。
【請求項１３】
前記表示制御部は、前記共通画像情報と前記拡張画像情報とを調整して、前記第１及び第２共通表示エリアと前記拡張表示エリアとで画像表示態様の異なる複数の表示モードでの切替えを可能とする表示モード制御部を有する、請求項１２に記載の頭部搭載型表示装置。
【請求項１４】
前記表示モード制御部において、前記複数の表示モードには、前記第１及び第２共通表示エリアと前記拡張表示エリアとでの重畳の有無を加味した明るさの差を抑えて表示する全体表示モードと、前記第１及び第２共通表示エリアと前記拡張表示エリアとでの重畳の有無を加味した明るさの差をつけて表示する注視表示モードとが含まれる、請求項１３に記載の頭部搭載型表示装置。
【請求項１５】
前記表示制御部は、前記表示モード制御部で前記全体表示モードを設定した場合に、前記第１及び第２共通表示エリアの輝度を前記拡張表示エリアの輝度よりも抑えるように表示制御する、請求項１４に記載の頭部搭載型表示装置。
【請求項１６】
観察者の視線方向を検出する視線検出部をさらに備え、
前記表示制御部は、前記視線検出部の検出結果に応じて表示態様の切替えを行う、請求項１２〜１５のいずれか一項に記載の頭部搭載型表示装置。
【請求項１７】
前記表示制御部は、前記拡張表示エリアのうち背景画像のエリアの輝度を他の画像のエリアの輝度よりも抑えるように表示制御する、請求項１２〜１６のいずれか一項に記載の頭部搭載型表示装置。
【請求項１８】
前記表示制御部は、前記拡張表示エリアにおいて表示を行っている場合に、前記拡張表示エリアにおいて表示を行っている旨の補助画像を前記第１及び第２共通表示エリアに表示させる、請求項１２〜１７のいずれか一項に記載の頭部搭載型表示装置。
【請求項１９】
前記表示制御部は、前記拡張表示エリアにおいて表示を行った場合、所定の時間経過後に当該表示を終了させるとともに当該表示と同じ内容の表示を前記第１及び第２共通表示エリアで行わせる、請求項１２〜１８のいずれか一項に記載の頭部搭載型表示装置。
【請求項２０】
左右の眼にそれぞれ対応して視認させるべき画像表示をそれぞれ行う第１及び第２表示部を有する頭部搭載型表示装置の表示制御方法であって、
前記第１及び第２表示部は、共通内容の画像表示を行う第１及び第２共通表示エリアをそれぞれ有し、前記第１及び第２表示部のうち少なくとも一方は、画像表示のエリアを拡張する拡張表示エリアを有し、
前記第１及び第２表示部に送信される映像信号として、前記第１及び第２共通表示エリア用の共通画像情報と前記拡張表示エリア用の拡張画像情報とを含む信号を生成する、頭部搭載型表示装置の表示制御方法。
【発明の詳細な説明】
【技術分野】
【０００１】
本発明は、頭部に装着して映像素子等によって形成された映像を観察者に提示する頭部搭載型表示装置及び頭部搭載型表示装置の表示制御方法に関する。
【背景技術】
【０００２】
観察者の頭部に装着するヘッドマウントディスプレイ（以下、ＨＭＤとも言う）等の頭部搭載型表示装置（あるいは虚像表示装置）として、左右一対の表示装置を設けて両眼に映像光をそれぞれ投影する両眼タイプのものが知られている（特許文献１〜３参照）。
【０００３】
頭部搭載型表示装置においては、装着性の問題から小型化の要請が強い一方、画像表示を大きくしたい（情報表示量を増やしたい）という、相反する要望がある。すなわち、一般に、画像表示を大きくするために眼に入射する映像光の入射角度を広げようとすると、光学系延いては装置全体が大型化してしまうことになり、逆に、装置を小型化するために光学系等を小さくすると、画像表示エリアが小さくなり、情報表示量が少なくなってしまう、という問題がある。
【０００４】
これに対して、左右の眼に互いに異なる２つの画面がそれぞれ視認されると、人間の大脳中枢において融像処理が行なわれ、当該異なる２つの画面があたかもつながっているように見えるになることを利用し、１つの大きな画面が置かれているかのように見せるもの（引用文献１，２参照）が知られている。
【０００５】
また、左右一対の虚像形成部を有して虚像を形成するものにおいて、台形補正による補正量を減らすために、複数の分割映像領域を設けて領域の有効活用を図るもの（引用文献３参照）も知られている。
【０００６】
ところで、近年、左右一対の表示装置を設けた両眼タイプのＨＭＤにおいては、例えば左右の視差に応じた画像を形成することで立体視画像を視認させたいといった要請もある。例えば上記引用文献１，２のように左右の眼に異なる画像をつながっているように視認させることで、左右に延長された画像を形成させる場合、立体視画像を視認させることは難しいと考えられる。
【先行技術文献】
【特許文献】
【０００７】
【特許文献１】特開平７−３０２０６３号公報
【特許文献２】特開平７−３０２０６４号公報
【特許文献３】特開２０１４−１０３４８０号公報
【発明の概要】
【０００８】
本発明は、左右一対の表示装置を設けて両眼視による映像認識を可能とするものであって、画像表示を大きいものと感じさせつつ種々の態様の画像表示ができる頭部搭載型表示装置及び頭部搭載型表示装置の表示制御方法を提供することを目的とする。
【０００９】
上記目的を達成するため、本発明の頭部搭載型表示装置は、左右の眼にそれぞれ対応して視認させるべき画像表示をそれぞれ行う第１及び第２表示部を備え、第１及び第２表示部は、共通内容の画像表示を行う第１及び第２共通表示エリアをそれぞれ有し、第１及び第２表示部のうち少なくとも一方は、画像表示のエリアを拡張する拡張表示エリアを有する。ここで、共通表示エリアにおいて表示させる共通内容については、２Ｄの画像（平面視画像）や３Ｄの画像（立体視画像）による種々のコンテンツの映像が対象となり、具体例としては、映画等の動画画像や、各種アプリケーションの画面、各種ＵＩ画面等が考えられる。
【００１０】
上記頭部搭載型表示装置では、第１及び第２表示部において左右の眼に共通内容の画像表示を行う第１及び第２共通表示エリアをそれぞれ有していることで、両眼視による画像コンテンツの視認を可能とするものとなっている。すなわち、共通内容の表示態様によって例えば左右の眼の視差に応じて右側の画像と左側の画像とをずらすことで立体視画像（３Ｄの画像）の視認が可能となる。この上で、第１及び第２表示部のうち少なくとも一方において拡張表示エリアを有することで違和感なく表示エリアを拡張させて共通表示エリアの表示だけの場合よりも画像表示を大きいものに見せることができる。また、この場合、共通表示エリアの表示の分のみ光学系等を増大させればよいので、装置全体の大型化によって表示エリアを広げる場合に比べて装置の小型化を図ることができる。
【００１１】
本発明の具体的な側面では、第１表示部と第２表示部とは、拡張表示エリアとして、互いに他方における表示とは異なる内容の画像表示をそれぞれ行う第１拡張表示エリアと第２拡張表示エリアとをそれぞれ有する。この場合、第１拡張表示エリアにおいて、例えば各種情報の表示といった種々の態様の表示が可能になる。
【００１２】
本発明の別の側面では、第１及び第２表示部は、第１及び第２共通表示エリアでの画像表示において立体視画像を形成させる。この場合、立体視画像を視認させることができる。
【００１３】
本発明のさらに別の側面では、第１及び第２表示部は、第１及び第２共通表示エリアによる視認範囲として、少なくとも弁別視野の範囲を含む画像表示を行う。この場合、視機能が優れた範囲において、両眼視による画像視認が可能となる。
【００１４】
本発明のさらに別の側面では、第１及び第２表示部は、第１及び第２共通表示エリアによる視認範囲として、画角１０°の範囲を含む画像表示を行う。この場合、例えば文字が認識可能な範囲において、両眼視による画像視認が可能となる。
【００１５】
本発明のさらに別の側面では、第１及び第２表示部は、第１及び第２共通表示エリアによる視認範囲を、映像フォーマットに準ずる縦横比とする画像表示を行う。この場合、両眼視の範囲において、映像フォーマットに準ずる縦横比で視認させることができる。
【００１６】
本発明のさらに別の側面では、第１及び第２表示部は、左右の眼の光軸の中心を基準として第１及び第２共通表示エリアを重ねて視認させる画像表示を行う。この場合、第１及び第２共通表示エリアの画像を１つの画像として認識させることができる。
【００１７】
本発明のさらに別の側面では、第１及び第２表示部は、左右の眼にそれぞれ対応した映像光を生じさせる第１及び第２画像表示素子をそれぞれ有する。この場合、画像表示素子により、例えばパネルの表示領域における画像形成の調整により表示エリアの調整を行うことができる。
【００１８】
本発明のさらに別の側面では、第１及び第２画像表示素子は、１つの表示パネル領域をそれぞれ有し、当該表示パネル領域を、第１及び第２共通表示エリアの映像光を生じさせる第１領域と拡張表示エリアの映像光を生じさせる第２領域とに応じて分割している。この場合、１つの表示パネル領域の領域分割によって拡張表示エリア共通表示エリアと拡張表示エリアとの調整が可能になる。
【００１９】
本発明のさらに別の側面では、第１及び第２画像表示素子は、第１及び第２共通表示エリアと拡張表示エリアとに応じて個別の表示パネル領域をそれぞれ有している。この場合、個別の表示パネル領域の調整によって拡張表示エリア共通表示エリアと拡張表示エリアとの調整が可能になる。
【００２０】
本発明のさらに別の側面では第１及び第２表示部は、中心光軸から、第１及び第２画像表示素子の表示パネル領域の中心をずらしている。この場合、表示パネル領域の中心からずらすことで拡張表示が可能になる。
【００２１】
本発明のさらに別の側面では、拡張表示エリアは、第１共通表示エリア及び／又は第２共通表示エリアの外縁側に連続的に隣接している。この場合、領域の境界部分が違和感なく連続的に繋がっているように見せることができる。
【００２２】
本発明のさらに別の側面では、第１及び第２表示部の表示動作を制御するための映像信号を送信して画像表示の制御をする表示制御部をさらに備え、表示制御部は、第１及び第２表示部に送信する映像信号として、第１及び第２共通表示エリア用の共通画像情報と拡張表示エリア用の拡張画像情報とを含む信号を生成する。
【００２３】
上記頭部搭載型表示装置では、表示制御部において、第１及び第２共通表示エリア用の共通画像情報と拡張表示エリア用の拡張画像情報とを含む信号を生成することで、例えば上記のような画像（３Ｄの画像）の形成を含む、種々の画像表示を可能としている。
【００２４】
本発明のさらに別の側面では、表示制御部は、共通画像情報と拡張画像情報とを調整して、第１及び第２共通表示エリアと拡張表示エリアとで画像表示態様の異なる複数の表示モードでの切替えを可能とする表示モード制御部を有する。この場合、表示モードを切り替えることで、例えば画像表示させるコンテンツに応じて各表示エリアでの明るさを変える、といった多様な態様での画像表示を行うことができる。
【００２５】
本発明のさらに別の側面では、表示モード制御部において、複数の表示モードには、第１及び第２共通表示エリアと拡張表示エリアとでの重畳の有無を加味した明るさの差を抑えて表示する全体表示モードと、第１及び第２共通表示エリアと拡張表示エリアとでの重畳の有無を加味した明るさの差をつけて表示する注視表示モードとが含まれる。ここで、第１及び第２共通表示エリアは、左右の眼にそれぞれ対応して視認されるが、共通内容の画像表示を行うことで観察者にはこれらが重畳したものとして視認される。一方、拡張表示エリアは、そのようになるとは限らない。このため、仮に第１共通表示エリアと拡張表示エリアとで同じ輝度で画像を形成した場合、観察者が片眼視すれば見た目の明るさが同等に感じられても、両眼視すると見た目の明るさが同等に感じられることには必ずしもならず、例えば第２共通表示エリアと重畳して視認される第１共通表示エリアのほうが明るいと感じられることになることがある。以上のような第１及び第２共通表示エリアで重畳があるのに対して拡張表示エリアにはこのような重畳がないといったこと、すなわち重畳の有無を加味して、共通画像情報と拡張画像情報との調整において例えば映像光の射出時の輝度等を調整しておくことで、上記の場合、全体表示モードでは、視認した時に第１及び第２共通表示エリアと拡張表示エリアとでの重畳の有無を加味した明るさの差すなわち見た目の明るさの差が抑えられ、観察者に全体としてあたかも一体的に拡張された１つの画像であるかのように視認させることができる。一方、注視表示モードでは、第１及び第２共通表示エリアと拡張表示エリアとでの重畳の有無を加味した明るさの差すなわち見た目の明るさの差がついていることで、例えば第１及び第２共通表示エリアをより明るくして観察者の視線を第１及び第２共通表示エリアに対応する画像表示の範囲に集中させる（注視させる）ことができる。
【００２６】
本発明のさらに別の側面では、表示制御部は、表示モード制御部で全体表示モードを設定した場合に、第１及び第２共通表示エリアの輝度を拡張表示エリアの輝度よりも抑えるように表示制御する。第１及び第２共通表示エリアは、上述のように、左右の眼にそれぞれ対応して視認されるが、観察者にはこれらが重畳したものとして視認されると考えられる。これに対して、上記の場合、第１及び第２共通表示エリアの輝度を拡張表示エリアの輝度よりも抑えておくことで、重畳したものとして視認されることで明るいと感じることを加味して表示全体の明るさのバランスを取り、観察者に全体としてあたかも一体的に拡張された１つの画像であるかのように視認させる際に特に明るさや色斑等の違和感を生じさせにくくすることができる。
【００２７】
本発明のさらに別の側面では、第１共通表示エリアの輝度及び第２共通表示エリアの輝度は、ともに拡張表示エリアの輝度の半分である。この場合、重畳したものとして視認される第１及び第２共通表示エリアの表示画像の見かけ上の明るさが拡張表示エリアの表示画像の明るさと等しくなることで、観察者に全体としてあたかも一体的に拡張された１つの画像であるかのように視認させることができる。
【００２８】
本発明のさらに別の側面では、観察者の視線方向を検出する視線検出部をさらに備え、表示制御部は、視線検出部の検出結果に応じて表示態様の切替えを行う。この場合、観察者の眼の動きに対応した表示を行うことができる。
【００２９】
本発明のさらに別の側面では、表示制御部は、拡張表示エリアのうち背景画像のエリアの輝度を他の画像のエリアの輝度よりも抑えるように表示制御する。この場合、拡張表示エリアにおいて、背景画像の輝度以外の他の画像（例えばアイコン画像）のみが表示されているかのように視認させることができる。
【００３０】
本発明のさらに別の側面では、表示制御部は、外部からの情報入力を受け付け、受け付けた情報に基づいて共通画像情報と拡張画像情報とを定める判断部を有する。この場合、例えば外部環境等に基づいて生成すべき信号を定めることができる。
【００３１】
本発明のさらに別の側面では、表示制御部は、拡張表示エリアにおいて表示を行っている場合に、拡張表示エリアにおいて表示を行っている旨の補助画像を第１及び第２共通表示エリアに表示させる。この場合、拡張表示エリアに対応する画像表示について観察者に視認を促すことができる。
【００３２】
本発明のさらに別の側面では、表示制御部は、拡張表示エリアにおいて表示を行った場合、所定の時間経過後に当該表示を終了させるとともに当該表示と同じ内容の表示を第１及び第２共通表示エリアで行わせる。この場合、例えば観察者の視線が拡張表示エリアに対応する画像表示側に向けられていた場合に、観察者の視線を第１及び第２共通表示エリアに対応する画像表示側に変更させることができる。これにより、例えば拡張表示エリアでの注視を抑制することができる。
【００３３】
本発明のさらに別の側面では、表示制御部は、入力された視認させるべき画像表示の映像コンテンツのうち、注視させるべき映像コンテンツを共通画像情報とし、注視させるべき映像コンテンツ以外の映像コンテンツを拡張画像情報として含むように映像信号を生成する。この場合、入力された映像コンテンツに関して、注視させるべき画像形成を第１及び第２共通表示エリアにおいて行い、注視させるべき画像以外の画像形成を拡張表示エリアにおいて行うことができる。
【００３４】
本発明のさらに別の側面では、表示制御部での信号生成において、共通画像情報及び拡張画像情報には、各表示エリアにおける輝度の情報、解像度の情報及び表示範囲の情報のうち少なくとも１つの情報が含まれる。この場合、各表示エリアにおける輝度や解像度を画像表示させるコンテンツに応じて変化させることで、多様な態様での画像表示を行うことができる。
【００３５】
上記目的を達成するため、本発明の頭部搭載型表示装置の表示制御方法は、左右の眼にそれぞれ対応して視認させるべき画像表示をそれぞれ行う第１及び第２表示部を有する頭部搭載型表示装置の表示制御方法であって、第１及び第２表示部は、共通内容の画像表示を行う第１及び第２共通表示エリアをそれぞれ有し、第１及び第２表示部のうち少なくとも一方は、画像表示のエリアを拡張する拡張表示エリアを有し、第１及び第２表示部に送信される映像信号として、第１及び第２共通表示エリア用の共通画像情報と拡張表示エリア用の拡張画像情報とを含む信号を生成する。
【００３６】
上記頭部搭載型表示装置の表示制御方法では、第１及び第２表示部において左右の眼に共通内容の画像表示を行う第１及び第２共通表示エリアをそれぞれ有していることで、両眼視による画像コンテンツの視認を可能とするものとなっている頭部搭載型表示装置の表示制御において、第１及び第２共通表示エリア用の共通画像情報と拡張表示エリア用の拡張画像情報とを含む信号を生成することで、種々の画像表示が可能になる。
【００３７】
上記目的を達成するため、本発明の頭部搭載型表示装置の表示制御プログラムは、左右の眼にそれぞれ対応して視認させるべき画像表示をそれぞれ行う第１及び第２表示部を有する頭部搭載型表示装置の表示制御プログラムであって、第１及び第２表示部は、共通内容の画像表示を行う第１及び第２共通表示エリアをそれぞれ有し、第１及び第２表示部のうち少なくとも一方は、画像表示のエリアを拡張する拡張表示エリアを有し、第１及び第２表示部に送信される映像信号として、第１及び第２共通表示エリア用の共通画像情報と拡張表示エリア用の拡張画像情報とを含む信号を生成する。
【００３８】
上記頭部搭載型表示装置の表示制御プログラムでは、第１及び第２表示部において左右の眼に共通内容の画像表示を行う第１及び第２共通表示エリアをそれぞれ有していることで、両眼視による画像コンテンツの視認を可能とするものとなっている頭部搭載型表示装置の表示制御において、第１及び第２共通表示エリア用の共通画像情報と拡張表示エリア用の拡張画像情報とを含む信号を生成することで、種々の画像表示が可能になる。
【図面の簡単な説明】
【００３９】
【図１】一実施形態に係る頭部搭載型表示装置を示す図である。
【図２】（Ａ）は、映像光の光路について概念的に説明する図であり、（Ｂ）及び（Ｃ）は、左右一対の映像素子の一例を概念的に示す図であり、（Ｄ）及び（Ｅ）は、左右一対の導光部材での導光においてハーフミラー上での映像光の通過領域を概念的に示す図である。
【図３】（Ａ）及び（Ｂ）は、左右一対の各映像領域について示す図であり、（Ｃ）は、両眼視により認識される映像領域の全体について概念的に示す図である。
【図４】両眼視により認識される画像全体の様子の一例を示す図である。
【図５】（Ａ）〜（Ｃ）は、観察者の視野について説明するための概念的な図である。
【図６】観察者の視野と両眼視により認識される画像の表示範囲との関係を示す図である。
【図７】（Ａ）及び（Ｂ）は、一変形例における左右一対の各映像領域について示す図であり、（Ｃ）は、両眼視により認識される映像領域について概念的に示す図である。
【図８】（Ａ）及び（Ｂ）は、左右一対の映像素子の一変形例を概念的に示す図である。
【図９】（Ａ）及び（Ｂ）は、他の一変形例における左右一対の各映像領域について示す図であり、（Ｃ）は、両眼視により認識される映像領域について概念的に示す図である。（Ｄ）及び（Ｅ）は、別の一変形例における左右一対の各映像領域について示す図であり、（Ｆ）は、両眼視により認識される映像領域について概念的に示す図である。
【図１０】（Ａ）は、さらに別の一変形例について説明するための正面図であり、（Ｂ）は、表示部の構造を説明する平面図である。
【図１１】（Ａ）及び（Ｂ）は、左右一対の各映像領域について一つの状態を示す図であり、（Ｃ）は、（Ａ）及び（Ｂ）に示した状態での両眼視により認識される映像領域の全体について概念的に示す図であり、（Ｄ）及び（Ｅ）は、左右一対の各映像領域について別の一つの状態を示す図であり、（Ｆ）は、（Ｄ）及び（Ｅ）に示した状態での両眼視により認識される映像領域の全体について概念的に示す図である。
【図１２】頭部搭載型表示装置の他の一例を示す図である。
【図１３】頭部搭載型表示装置の制御を説明するためのブロック図である。
【図１４】記憶部について説明するためのブロック図である。
【図１５】（Ａ）及び（Ｂ）は、左右一対の各映像領域での輝度について一例を概念的に示す図であり、（Ｃ）は、両眼視により認識される映像領域の全体での輝度について一例を概念的に示す図であり、（Ｄ）は、両眼視により認識される映像領域の全体での輝度について他の一例を概念的に示す図である。
【図１６】頭部搭載型表示装置の表示制御の一例を説明するためのフローチャートである。
【図１７】状況判断の一例を説明するためのフローチャートである。
【図１８】（Ａ）及び（Ｂ）は、表示動作の一変形例について説明するための図である。
【図１９】（Ａ）及び（Ｂ）は、表示動作の他の一変形例について説明するための図である。
【図２０】（Ａ）及び（Ｂ）は、表示動作の別の一変形例について説明するための図である。
【図２１】表示動作のさらに別の一変形例について説明するための図である。
【発明を実施するための形態】
【００４０】
以下、図１等を参照しつつ、本発明の一実施形態に係る頭部搭載型表示装置について詳細に説明する。
【００４１】
図１に示すように、本実施形態の頭部搭載型表示装置１００は、眼鏡のような外観を有するヘッドマウントディスプレイであり、この頭部搭載型表示装置１００を装着した観察者又は使用者に対して虚像による画像光（映像光）を視認させることができるとともに、観察者に外界像をシースルーで視認又は観察させることができる虚像表示装置である。頭部搭載型表示装置１００は、観察者の眼前を透視可能に覆う第１及び第２光学部材１０１ａ，１０１ｂと、両光学部材１０１ａ，１０１ｂを支持する枠部１０２と、枠部１０２の左右両端から後方のつる部分（テンプル）１０４にかけての部分に配置された第１及び第２像形成本体部１０５ａ，１０５ｂとを備える。ここで、図面上で左側の第１光学部材１０１ａと第１像形成本体部１０５ａとを組み合わせた第１表示装置１００Ａは、右眼用の虚像を形成する第１表示部である。また、図面上で右側の第２光学部材１０１ｂと第２像形成本体部１０５ｂとを組み合わせた第２表示装置１００Ｂは、左眼用の虚像を形成する第２表示部である。なお、図１と図２（Ａ）とを比較することで、例えば第１及び第２像形成本体部１０５ａ，１０５ｂは、鏡筒部（図示略）に収納される投射レンズ３０や、画像表示装置８０でそれぞれ構成されることが分かる。すなわち、図２（Ａ）に示す投射レンズ３０や画像表示装置８０等が図１に示す第１及び第２像形成本体部１０５ａ，１０５ｂの内部にそれぞれ収納されている。例えば、第１像形成本体部１０５ａは、画像表示装置８０と投射レンズ３０とで構成されているとも言える。
【００４２】
以下、図２（Ａ）を参照して、頭部搭載型表示装置１００のうち、光学系の各構成について説明する。なお、本実施形態では、光学系の各構成は、左右一対の対称的なものとなっており、同様の機能や作用をするものとなっている。
【００４３】
画像表示装置８０（右眼用の画像表示装置８０Ｒ及び左眼用の画像表示装置８０Ｌ）は、例えば有機ＥＬ等の自発光型の素子構成される画像表示素子（映像素子）とすることができる。また、例えば透過型の空間光変調装置である画像表示素子（映像素子）のほか、画像表示素子へ照明光を射出するバックライトである照明装置（不図示）や動作を制御する駆動制御部（不図示）を有する構成としてもよい。
【００４４】
投射レンズ３０は、構成要素として、例えば入射側光軸ＡＸに沿って並ぶ複数（例えば３つ）の光学素子（レンズ）を備える投射光学系であり、これらの光学素子が既述のように、鏡筒部によって収納・支持されている。なお、当該光学素子は、例えば非軸対称な非球面（非軸対称非球面）と軸対称な非球面（軸対称非球面）との双方を含む非球面レンズで構成することで、導光部材１０の一部と協働して導光部材１０の内部に表示像に対応する中間像を形成するものとすることができる。投射レンズ３０は、画像表示装置８０で形成された映像光を導光装置２０に向けて投射し入射させる。
【００４５】
導光装置２０は、導光及び透視用の導光部材１０と、透視用の光透過部材５０とで構成されている。導光部材１０は、プリズム型の導光装置２０の一部であり、一体の部材であるが、光射出側の第１導光部分１１と光入射側の第２導光部分１２とに分けて捉えることができる。光透過部材５０は、導光部材１０の透視機能を補助する部材（補助光学ブロック）であり、導光部材１０と一体的に固定され１つの導光装置２０となっている。導光装置２０は、例えば投射レンズ３０を収納する鏡筒部にネジ止めされることにより、投射レンズ３０に対して精度よく位置決め固定されている。
【００４６】
導光部材１０は、光学的な機能を有する側面として、第１〜第５面Ｓ１１〜Ｓ１５を有している。これらのうち、第１面Ｓ１１と第４面Ｓ１４とが連続的に隣接し、第３面Ｓ１３と第５面Ｓ１５とが連続的に隣接する。また、第１面Ｓ１１と第３面Ｓ１３との間に第２面Ｓ１２が配置されている。第２面Ｓ１２の表面には、ハーフミラー層１５が付随して設けられている。このハーフミラー層１５は、光透過性を有する反射膜（すなわち半透過反射膜）であり、金属反射膜や誘電体多層膜を成膜することにより形成され映像光に対する反射率が適宜設定されている。
【００４７】
光透過部材５０は、既述のように導光部材１０と一体的に固定され１つの導光装置２０となっており、導光部材１０の透視機能を補助する部材（補助光学ブロック）である。光透過部材５０は、光学的な機能を有する側面として、第１透過面Ｓ５１と、第２透過面Ｓ５２と、第３透過面Ｓ５３とを有する。第２透過面Ｓ５２は、第１透過面Ｓ５１と第３透過面Ｓ５３との間に配置されている。第１透過面Ｓ５１は、導光部材１０の第１面Ｓ１１を延長した面上にあり、第２透過面Ｓ５２は、第２面Ｓ１２に対して接合され一体化されている曲面であり、第３透過面Ｓ５３は、導光部材１０の第３面Ｓ１３を延長した面上にある。
【００４８】
以下、導光装置２０における外界像の観察について簡単に説明する。導光装置２０は、導光部材１０での映像光の導光により観察者に映像光を視認させるとともに、導光部材１０と光透過部材５０との協働により観察者に歪みの少ない外界像を観察させるものとなっている。すなわち、視認させるべき外界像を構成する成分光としての外界光のうち、導光部材１０の第２面Ｓ１２よりも導光部材１０側に入射したものは、第１導光部分１１の第３面Ｓ１３と第１面Ｓ１１とを通過するが、この際、第３面Ｓ１３と第１面Ｓ１１とが互いに略平行な平面（視度略０）となっていることで、収差等をほとんど生じない。また、外界光のうち、導光部材１０の第２面Ｓ１２よりも光透過部材５０側に入射したものは、これに設けた第３透過面Ｓ５３と第１透過面Ｓ５１とを通過する際に、第３透過面Ｓ５３と第１透過面Ｓ５１とが互いに略平行な平面となっていることで、収差等を生じない。さらに、外界光のうち、導光部材１０の第２面Ｓ１２に対応する光透過部材５０に入射するものは、第３透過面Ｓ５３と第１面Ｓ１１とを通過する際に、第３透過面Ｓ５３と第１面Ｓ１１とが互いに略平行な平面となっていることで、収差等をほとんど生じない。以上により、観察者は、光透過部材５０越しに歪みのない外界像を観察することになる。
【００４９】
以下、図２（Ａ）等を参照して映像光（ここでは映像光ＧＬとする。）の光路について概略説明する。図２（Ａ）は、映像光ＧＬの光路について概念的に示しており、また、図２（Ｂ）及び２（Ｃ）は、映像光ＧＬを射出させる左右一対の画像表示素子（映像素子）である画像表示装置８０Ｒ，８０Ｌの一例を概念的に示している。各画像表示装置８０Ｒ，８０Ｌは、図２（Ｂ）及び２（Ｃ）に示す表示パネル領域ＰＲ，ＰＬを光射出面として、左右それぞれにおいて映像光ＧＬを投射レンズ３０に向けて射出させる。投射レンズ３０は、導光部材１０に向けて映像光ＧＬを投射する。導光部材１０は、投射レンズ３０から映像光ＧＬを入射させるとともに第１〜第５面Ｓ１１〜Ｓ１５での反射等により観察者の眼に向けて導光する。具体的には、投射レンズ３０からの映像光ＧＬは、まず、第４面Ｓ１４に入射して第５面Ｓ１５で反射され、第４面Ｓ１４に内側から再度入射して全反射され、第３面Ｓ１３に入射して全反射され、第１面Ｓ１１に入射して全反射される。第１面Ｓ１１で全反射された映像光ＧＬは、第２面Ｓ１２に入射し、第２面Ｓ１２に設けたハーフミラー層１５を部分的に透過しつつも部分的に反射されて第１面Ｓ１１に再度入射して通過する。第１面Ｓ１１を通過した映像光ＧＬは、観察者の眼又はその等価位置に略平行光束として入射する。つまり、観察者は、虚像としての映像光により画像を観察することになる。また、映像光ＧＬは、光軸ＡＸを基準として観察者の眼ＥＹにおいて中心と視認されるように映像光が射出されるものとなっている。
【００５０】
特に、本実施形態では、映像光ＧＬは、両眼視のための中央側の主たる映像を形成するものとなる成分光ＧＬｐと、左右一方のそれぞれによる片眼視のための周辺側の従たる映像を形成するものとなる成分光ＧＬａ，ＧＬｂとで構成されている。成分光ＧＬｐは、視線の軸に対応して（すなわち真正面として視認される角度で射出される軸に対応して）設定される中心光軸ＡＸを基準に対称性のある画像を形成すべく例えば中心光軸ＡＸを中心として左右対称な光線束となって左右一対の画像表示装置８０（８０Ｒ，８０Ｌ）から射出されている。これに対して、周辺側の画像を形成する成分光ＧＬａ，ＧＬｂは、偏ったものとなっている。例えば右眼用の画像表示装置８０Ｒから射出される成分光ＧＬａは、右眼の周辺側において片眼視のための画像を形成すべく、光軸ＡＸに対して、画像表示装置８０Ｒのパネル面が内側（観察者に近い左側）にシフトしている。言い換えると、第１及び第２表示装置１００Ａ，１００Ｂは、中心光軸ＡＸから、表示パネル領域ＰＲ，ＰＬの中心をずらしている。なお、成分光ＧＬａは、図中において光路をたどると明らかなように、成分光ＧＬｐが射出される範囲よりもさらに右側の領域から傾斜して射出される。同様に、左眼用の画像表示装置８０Ｌから射出される成分光ＧＬｂは、中心光軸ＡＸ画像表示装置８０Ｌのパネル面に対して内側（観察者に近い右側）にシフトしており、成分光ＧＬｐが射出される範囲よりもさらに左側の領域から傾斜して射出される。以上について見方を換えると、成分光ＧＬｐの射出範囲に対して（内側に）拡張させた範囲において成分光ＧＬａ，ＧＬｂを射出させており、全体として、中心光軸ＡＸを基準とした場合に内側に拡張させた範囲で光線束全体が形成されるものとなっている。
【００５１】
ここで、図２（Ｂ）及び２（Ｃ）等を参照して、上述した映像光ＧＬの各成分光ＧＬｐ，ＧＬａ，ＧＬｂの射出位置等に関して説明する。まず、図２（Ｂ）及び２（Ｃ）に示すように、映像光ＧＬの射出面である画像表示装置８０Ｒ，８０Ｌの表示パネル領域ＰＲ，ＰＬにおいては、成分光ＧＬｐと成分光ＧＬａ，ＧＬｂとでは射出位置が異なっている。すなわち、各表示パネル領域ＰＲ，ＰＬは、中心側を含む範囲に設けられる成分光ＧＬｐを射出させる第１領域ＰＲ１，ＰＬ１と、第１領域ＰＲ１，ＰＬ１の周辺側に設けられて成分光ＧＬａ，ＧＬｂを射出させる第２領域ＰＲ２，ＰＬ２とに分割されてそれぞれ構成されている。すなわち、第１領域ＰＲ１，ＰＬ１から両眼視のための成分光ＧＬｐが射出され、第２領域ＰＲ２，ＰＬ２から対応する片方の眼にだけ視認される映像を形成するための成分光ＧＬａ，ＧＬｂが射出される。また、以上のように１つの表示パネル領域ＰＲ，ＰＬを分割して成分光ＧＬｐと成分光ＧＬａ，ＧＬｂとが形成される場合、領域の境界部分は、連続的に繋がって隣接していることになる。
【００５２】
また、導光装置２０から取り出される際の映像光ＧＬの各成分光ＧＬｐ，ＧＬａ，ＧＬｂの射出位置について、例えば図２（Ｄ）及び２（Ｅ）に示すように画像取出しのための反射面であるハーフミラー層１５（右眼用のハーフミラー層１５Ｒ及び左眼用のハーフミラー層１５Ｌ）について見ると、成分光ＧＬｐを反射する第１反射領域ＡＲ１，ＡＬ１と、成分光ＧＬａ，ＧＬｂを反射する第２反射領域ＡＲ２，ＡＬ２とは、一部重畳している。しかしながら、全体としては、第２反射領域ＡＲ２，ＡＬ２が第１反射領域ＡＲ１，ＡＬ１よりも外側（観察者から遠い側）にシフトしている。第２反射領域ＡＲ２，ＡＬ２から射出される成分光ＧＬａ，ＧＬｂは、成分光ＧＬｐよりも傾斜した角度で導光装置２０から射出され観察者の眼ＥＹに到達する結果、観察者は、成分光ＧＬａ，ＧＬｂに由来する画像（映像）を成分光ＧＬｐに由来する画像（映像）よりも外側にあるものとして視認する。
【００５３】
図３（Ａ）、３（Ｂ）及び３（Ｃ）は、上記のようにして観察者の左右の眼ＥＹ（ＥＹ１，ＥＹ２）により視認される虚像に対応する仮想上の各映像領域を映像領域ＰＡａ，ＰＡｂとして示し、さらに、両眼ＥＹ１，ＥＹ２で視認した結果、観察者の脳内において認識される仮想上の全体映像領域を映像領域ＰＡとする。ここでは、各映像領域ＰＡａ，ＰＡｂのうち、上述した成分光ＧＬｐに由来して視認される映像領域を第１映像領域Ｐａ１，Ｐｂ１とし、成分光ＧＬａ，ＧＬｂに由来して視認される映像領域を第２映像領域Ｐａ２，Ｐｂ２とする。この場合、図３（Ｃ）に示す映像領域ＰＡについては、第１映像領域Ｐａ１，Ｐｂ１が重畳して視認される第１映像領域ＰＡｃと、第２映像領域Ｐａ２，Ｐｂ２とがつながって形成された１つの領域として視認される。
【００５４】
以下、上記のような映像領域の認識について説明する。前提として、観察者の眼ＥＹ１，ＥＹ２として想定される基準位置（視線の光軸）に基づいて左右一対の成分光ＧＬｐを射出させる。これにより、両眼ＥＹ１，ＥＹ２に同等の画像を視認させると、観察者は、左右の眼ＥＹ１，ＥＹ２から入った当該画像を１つの画像として認識する。すなわち、各映像領域ＰＡａ，ＰＡｂのうち視線の光軸を基準に第１映像領域Ｐａ１，Ｐｂ１で共通する内容の画像が形成されることで、図３（Ｃ）の中央部において１つの映像領域（第１映像領域ＰＡｃ）として認識されることになる。この場合、さらに、観察者は、第１映像領域ＰＡｃを左右に拡張させた第２映像領域Ｐａ２，Ｐｂ２についても第１映像領域ＰＡｃから連続した領域として違和感なく認識できることが知られている。結果的に、観察者は、第１映像領域ＰＡｃ及び第２映像領域Ｐａ２，Ｐｂ２を繋げた全体を１つの大きな映像領域として捉えるものとなる。
【００５５】
以上のように、本実施形態の頭部搭載型表示装置１００は、共通内容の画像表示を行うためのエリアと、当該エリアを拡張させるために隣接するように設けられる拡張エリアとを形成させこれらを一体の画像表示エリアとして捉えさせる構成となっている。以下、共通内容の画像表示を行うエリアを共通表示エリアと呼ぶものとし、拡張エリアを拡張表示エリアと呼ぶものとする。共通表示エリアにおいて表示させる共通内容については、２Ｄの画像（平面視画像）や３Ｄの画像（立体視画像）による種々のコンテンツの映像が対象となり、具体例としては、映画等の動画画像や、各種アプリケーションの画面、各種ＵＩ画面等が考えられる。共通表示エリアや拡張表示エリアは、物理的な空間としては、図２（Ｂ）及び２（Ｃ）に示す各表示パネル領域ＰＲ，ＰＬの第１領域ＰＲ１，ＰＬ１や第２領域ＰＲ２，ＰＬ２、あるいは、図２（Ｄ）及び２（Ｅ）に示す第１反射領域ＡＲ１，ＡＬ１や第２反射領域ＡＲ２，ＡＬ２で規定することができる。また、ここでは、これをさらに拡張させて、上記物理的な空間に対応して仮想的な範囲として認識される図３（Ａ）〜３（Ｃ）の映像領域ＰＡａ，ＰＡｂ，ＰＡのような領域（仮想的な空間）として捉えることも可能であるものとする。なお、共通内容の画像表示を行う共通表示エリアのうち、右眼において視認させるための画像表示を行う共通表示エリアを第１共通表示エリアとし、左眼において視認させるための画像表示を行う共通表示エリアを第２共通表示エリアとする。さらに、拡張表示エリアのうち、右眼において視認させるための画像表示を行う拡張表示エリアを第１拡張表示エリアとし、左眼において視認させるための画像表示を行う拡張表示エリアを第２拡張表示エリアとする。上記の場合、中央の共通表示エリア（第１及び第２共通表示エリア）と左右にそれぞれ拡張される第１拡張表示エリア及び第２拡張表示エリアとを統合した表示エリアが視認される表示エリアの全体ということになる。なお、上記の場合、拡張表示エリアは、共通表示エリア（第１共通表示エリアや第２共通表示エリア）の外縁側に連続的に隣接しており、違和感なく連続した画像として認識させるものとなっている。
【００５６】
さらに、上記の例では、共通表示エリアすなわち両眼視される範囲である図３（Ｃ）の映像領域ＰＡｃでは、画素単位で完全に一致させた２Ｄの画像（平面画像）を表示させるだけでなく、共通した画像でありながら左右の視差に応じて画像をずらすことで、３Ｄの画像（立体視画像）を表示させることも可能である。一方、拡張表示エリアすなわち片眼にのみ視認される第２映像領域Ｐａ２，Ｐｂ２については、２Ｄの画像表示のみが可能となる。
【００５７】
図４は、図３（Ｃ）に対応する図であり、両眼視と片眼視とにより認識される画像全体の様子の一例を示す図である。この場合、例えば、表示される画像オブジェクトＯＢ１〜ＯＢ３のうち、例えば中央の映像領域ＰＡｃに表示される画像オブジェクトＯＢ１（ロケットの画像オブジェクト）は、適宜画像処理を施すことで立体視画像が可能である。一方、周辺側の映像領域Ｐａ２，Ｐｂ２に表示される画像オブジェクトＯＢ２，ＯＢ３（惑星の画像や月の画像オブジェクト）は、片眼視のため、平面画像のみの表示が可能となっている。しかしながら、例えば中央の映像領域ＰＡｃを十分広くとるように画像形成させることで、あたかも表示エリアの画像全体において立体視画像を行っているかのように見せることが可能である。
【００５８】
以下、図５等を参照して、観察者の視野範囲の特性について説明する。まず、図５（Ａ）〜５（Ｃ）は、観察者の視野について説明するための概念的な図であり、図５（Ａ）は、水平視野の様子を示し、図５（Ｂ）は、鉛直（垂直）視野の様子を示し、図５（Ｃ）は、面に投影された視野（視線方向についての視野の広がり）の様子を示している。ここで、各図中において、弁別視野Ｖ１とは、視力などの視機能が優れている中心領域（画角約５°以内）であり、有効視野Ｖ２とは、眼球運動だけで瞬時に情報需要できる領域（水平約３０°、垂直２０°以内）であり、安定注視野Ｖ３とは、眼球・頭部運動で無理なく注視でき、効果的な情報需要ができる領域（水平６０〜９０°、垂直４５〜７０°以内）である。これらのうち、弁別視野Ｖ１を念頭において、例えば映像を眺めている観察者の視線方向は、通常ほぼ正面方向であると考えれば、弁別視野Ｖ１に対して画像の中心から十分な範囲に映像領域ＰＡｃを設けて立体視画像が形成可能な範囲が視機能が優れた範囲を含むようにすることで、あたかも表示エリアの画像全体において立体視画像を行っているかのように見せることができる。すなわち、例えば図６に示すように、映像領域ＰＡｃが、少なくとも弁別視野Ｖ１（画角５°程度）の範囲を視認範囲として含む、さらには、文字を識別できる範囲と考えられる画角１０°の範囲である視野ＶＸ（有効視野Ｖ２よりは狭い範囲）を視認範囲として含むようにすることで、立体画像の視認や文字の多い画像の認識等種々の画像の視認を確保した上で画像表示エリアを拡張させることができる。
【００５９】
またここで、図４に戻って、別の観点として、拡張させた画像表示エリア（共通表示エリア及び拡張表示エリア）の全体すなわち映像領域の全体である映像領域ＰＡについてのアスペクト比（縦横比）、すなわち図示における映像領域ＰＡの短辺幅ＤＹと長辺幅ＤＸとの比率について説明する。アスペクト比については、種々の設定が可能であるが、例えば映像フォーマットに準ずる縦横比とすることもできる。さらに、図示における映像領域ＰＡｃ（両眼視可能な領域）の短辺幅ＤＹ１と長辺幅ＤＸ１との比率について映像フォーマットに準ずる縦横比としてもよい。なお、映像フォーマットの縦横比としては、例えば３：４や９：１６のほか、１：２．３５のシネスコのサイズ等が考えられる。また、上記では、画像表示エリア（共通表示エリア及び拡張表示エリア）として仮想的な映像領域ＰＡ等により説明したが、同様のことを物理的空間において考察することができ、例えば本実施形態のようにパネル型の構造である場合、図２（Ｂ）及び２（Ｃ）に示す各表示パネル領域ＰＲ，ＰＬの第１領域ＰＲ１，ＰＬ１や第２領域ＰＲ２，ＰＬ２の縦横比の設定によって視認される映像についてのアスペクト比を所望の映像フォーマットに準ずる縦横比となるようにできる。なお、パネル型の構造について、より具体的に一例をあげれば、右眼用及び左眼用の画像はそれぞれ縦７２０横１５８０とし、左の表示エリアの左から３０１列目と右表示エリアの１列目の画素を一致させ、左表示エリアの左から１５８０列目と右表示エリアの１２８０列目の画素を一致させるよう調整させるようにしておく、といった調整を行うことが考えられる。なお、もっと大雑把には、例えば、各表示装置１００Ａ，１００Ｂにおいては、２．５ｍ先に６０インチ相当の画像があるように虚像による表示を行わせるものとした場合に、これらを上記のように適宜重畳させて視認させることで、８０インチ相当の画像を認識させることができる。また、例えば、各表示装置１００Ａ，１００Ｂが形成する映像領域の１／４〜半分以上が重畳して視認される（両眼視される）映像領域ＰＡｃとなっていることで、映像領域ＰＡｃのみにおいて画像として認識できるのに十分な範囲を確保できる。一方、片眼視のエリアについても種々の範囲とすることができるが、例えば、映画の字幕用の文字等を認識するのに必要最低限の画素数分の領域を確保するものとする。
【００６０】
以上のように、本実施形態に係る頭部搭載型表示装置１００は、双方の眼に対して画像表示を行う両眼視タイプであり、表示画像の一部については左右で表示内容が異なる拡張した領域（エリア）を設けているが、両眼に共通した内容の画像を見せる共通する領域（エリア）も有している。これにより、観察者に、拡張した領域まで含めた映像全体を両眼視によって視認していると知覚させることができる。これに対して、片側の眼に対してのみ画像表示を行う片眼視タイプの場合、一方の眼で表示画像を見て他方の眼で外界を見ることで、視認される対象が左右で全く異なった状態となり得るので、例えば左右の眼の視線が混じらない状態が起き、斜視になってしまう可能性がある。両眼視タイプであり左右の眼に共通内容の画像を視認させる頭部搭載型表示装置１００では、上記片眼視タイプの場合のような状態となることで斜視になる、という可能性が回避される。
【００６１】
以下、頭部搭載型表示装置１００において映し出す画像コンテンツに関する一変形例について説明する。図４に示すような全体として１つの内容の映像を視認させる場合の他に、例えば図７（Ａ）、７（Ｂ）及び７（Ｃ）に示すように、中央の映像領域ＰＡｃ（両眼視可能な領域）にメイン画像（牛の部分）を映し出すとともに、右眼のみで見える映像領域Ｐａ２には注意情報、天気予報等を映し出左眼のみで見える映像領域Ｐｂ２にはナビ情報等を映し出すといったサブ的な情報画像を周辺側に表示させるものとしてもよい。つまり、右眼側の映像領域Ｐａ２と左眼側の映像領域Ｐｂ２とにおいて、異なるタイプの画像コンテンツを表示させるものにもできる。
【００６２】
また、上記では、図２（Ｂ）及び２（Ｃ）を参照して説明したように、１つの表示パネル領域ＰＲ，ＰＬを分割して成分光ＧＬｐと成分光ＧＬａ，ＧＬｂとが形成されるものとしているが、これに限らず、例えば図８（Ａ）及び８（Ｂ）に示すように、第１画像表示素子１８１ＲＲ（又は１８１ＬＬ）と第２画像表示素子１８２ＲＲ（又は１８２ＬＬ）との２つの画像表示素子で１つの画像表示装置１８０Ｒ（又は１８０Ｌ）を構成するものとしてもよい。すなわち、第１及び第２共通表示エリアと拡張表示エリアとに応じて個別の表示パネル領域（第１領域ＰＲ１，ＰＬ１や第２領域ＰＲ２，ＰＬ２）をそれぞれ有するようにしてもよい。
【００６３】
また、上記では、左右一対の各映像領域ＰＡａ，ＰＡｂについて、双方がともに拡張表示エリアをそれぞれ形成するものとしているが、例えば図９（Ａ）、９（Ｂ）及び９（Ｃ）に示すように、どちらか一方のみが拡張表示エリアを形成するものとしてもよい。なお、図示の場合、右側の映像領域ＰＡａのみが第１映像領域Ｐａ１と第２映像領域Ｐａ２との双方を有し、左側の映像領域ＰＡｂは、第１映像領域Ｐｂ１のみとなっている。
【００６４】
さらに、上記では、周辺側として右側又は左側に拡張表示エリアを形成させるものとしているが、これに限らず、例えば図９（Ｄ）、９（Ｅ）及び９（Ｆ）に示すように、右側や左側への拡張に加え、さらに、上下方向について、第３映像領域Ｐ３や、第４映像領域Ｐ４を有するものとしてもよい。
【００６５】
以上のように、本実施形態の頭部搭載型表示装置１００では、第１及び第２表示部である第１及び第２表示装置１００Ａ，１００Ｂにおいて、左右の眼に共通内容の画像表示を行う第１及び第２共通表示エリアをそれぞれ有していることで、両眼視による画像コンテンツの視認を可能とするものとなっている。すなわち、共通内容の表示態様によって例えば立体視画像の視認が可能となっている。この上で、第１及び第２表示装置１００Ａ，１００Ｂのうち少なくとも一方において拡張表示エリアを有することで違和感なく表示エリアを拡張させて共通表示エリアの表示だけの場合よりも画像表示を大きいものに見せることができる。また、この場合、共通表示エリアの表示の分のみ光学系等を増大させればよいので、装置全体の大型化によって表示エリアを広げる場合に比べて装置の小型化を図ることができる。
【００６６】
以下、図１０（Ａ）及び１０（Ｂ）を参照して、頭部搭載型表示装置の別の一例について説明する。図示の頭部搭載型表示装置２００は、観察者の眼前を透視可能に覆う第１及び第２光学部材２０１ａ，２０１ｂと、両光学部材２０１ａ，２０１ｂを支持するフレーム１０７と、フレーム１０７の左右両端から後方にかけての部分に固定された第１及び第２駆動部２０５ａ，２０５ｂと、２次元的に走査される信号光を射出する第１及び第２映像素子２０６ａ，２０６ｂとを備える。図面上で左側の第１光学部材２０１ａと第１駆動部２０５ａと第１映像素子２０６ａとを組み合わせた第１表示装置１００Ａは、右眼用の虚像を形成する部分である。また、図面上で右側の第２光学部材２０１ｂと第２駆動部２０５ｂと第２映像素子２０６ｂとを組み合わせた第２表示装置１００Ｂは、左眼用の虚像を形成する部分であり、第１表示装置１００Ａの左右を反転させただけであり、第１表示装置１００Ａと同じ機能を有する。
【００６７】
第１表示装置１００Ａにおいて、第１映像素子２０６ａは、強度変調された信号光を形成するとともに当該信号光を走査光ＴＬとして射出する。第１光学部材２０１ａは、第１映像素子２０６ａからの走査光ＴＬを反射することによって映像光ＧＬを形成する被照射部材であるが、映像光ＧＬを眼ＥＹに導く機能を有する。第１駆動部２０５ａは、第１映像素子２０６ａに対して不図示の光ファイバー等を介して照明光を供給する光源、それらの動作の制御回路等を含む本体部分２８０を有する。
【００６８】
第１映像素子２０６ａは、鼻当て部材１０８ａに組み付けられており、フレーム１０７に対して間接的に固定されている。第１映像素子２０６ａは、本体部分２８０からの制御信号に基づいて照明光を変調する信号光変調部２８１と、信号光変調部２８１を経た信号光を走査しつつ射出させる走査光学系２８２とを有する。ここで、走査光学系２８２は、ＭＥＭＳミラー等で構成され、信号光変調部２８１による信号光の変調に同期させて姿勢を変化させることにより、信号光の光路を調整することで第１光学部材２０１ａの内面への光線の射出角度を縦横に変化させる２次元走査を行う。
【００６９】
第１光学部材２０１ａは、第１映像素子２０６ａの前方又は光射出方向において観察者の眼ＥＹの前方を覆うように配置されている。第１光学部材２０１ａは、走査光の照射を受ける半透過膜である半透過反射膜２８５と、半透過反射膜２８５を支持固定する支持部材２８６とを有している。これにより、観察者の眼ＥＹには、虚像のみならず、外界からの光も入ることになり、頭部搭載型表示装置２００は、双方を重畳して観察可能にするシースルーの構成となっている。
【００７０】
上記のような構成の頭部搭載型表示装置２００においても、走査光学系２８２による走査の範囲を調整することで所期の目的を達成することができる。
【００７１】
この発明のうち表示エリアのパターンについては、上記の各実施形態に限られるものではなく、その要旨を逸脱しない範囲において種々の態様で実施することが可能である。
【００７２】
上記において、共通表示エリアと拡張表示エリアとについてのリサイズや位置変更を、例えば、表示する内容やユーザーによる設定等により行うことが考えられる。具体的には、図１１（Ａ）〜１１（Ｆ）に例示するように、左右の眼により視認される虚像に対応する各映像領域ＰＡａ，ＰＡｂについて、映像領域ＰＡａにおける第１映像領域Ｐａ１と第２映像領域Ｐａ２や、映像領域ＰＡｂを構成する第１映像領域Ｐｂ１と第２映像領域Ｐｂ２の大きさや形状、配置を変更可能としてもよい。すなわち、図１１（Ａ）、１１（Ｂ）及び１１（Ｃ）において１つの視認状態として示すように、第１映像領域Ｐａ１，Ｐｂ１が重畳して視認される第１映像領域ＰＡｃの左右に拡張するように第２映像領域Ｐａ２，Ｐｂ２を設けた表示とする第１の表示状態から、図１１（Ｄ）、１１（Ｅ）及び１１（Ｆ）において別の１つの視認状態として示すように、第１映像領域ＰＡｃの上下に拡張するように第２映像領域Ｐａ２，Ｐｂ２を設けた表示とする第２の表示状態に切り換え可能とする、といった態様とすることが考えらえる。また、この際、図１１（Ｃ）及び１１（Ｆ）に示すように、第１映像領域ＰＡｃ（Ｐａ１，Ｐｂ１）は、左右の映像領域ＰＡａ，ＰＡｂのうち、重なっている領域内に設定する一方、第２映像領域Ｐａ２は映像領域ＰＡａの範囲内でかつ映像領域ＰＡｂから外れた範囲を含み、第２映像領域Ｐｂ２は映像領域ＰＡｂの範囲内でかつ映像領域ＰＡａから外れた範囲を含むように拡張させてもよい。
【００７３】
上記のような種々の態様で画像表示を行う場合、画像表示の動作制御についても重要となってくる。そこで、以下では、図１２等を参照して、頭部搭載型表示装置における表示動作の制御について一例を説明する。図１２は、一実施形態に係る頭部搭載型表示装置の一例を示す図であり、図１に対応する図である。すなわち、図１２の頭部搭載型表示装置１００の光学系部分は、図１に示す頭部搭載型表示装置１００と同一の構造を有するものであり、図１に例示した頭部搭載型表示装置１００において省略していた制御装置ＣＲを制御動作の説明のために追加している。また、図１２において、制御装置ＣＲは、眼鏡状の形態を有した装置の本体部分にケーブル（接続部）４０によって接続されている。なお、図１２に示すように、ここでは、図１において頭部搭載型表示装置１００としていた眼鏡状の形態を有した装置の本体部分すなわち制御装置ＣＲ及びケーブル４０以外の部分を、区別しやすいように本体部分１００ｐと表記する。以上を言い換えると、図１２に示す頭部搭載型表示装置１００は、光学系を搭載して観察者に画像を視認させるための本体部分１００ｐと、本体部分１００ｐに映像信号その他の各種信号を送信して各種制御動作を行う制御装置ＣＲとを有し、本体部分１００ｐと制御装置ＣＲとを接続するケーブル４０とを備える。なお、本体部分１００ｐの構造等については、図１等を参照して説明したため、各部の説明については省略するが、図１において説明を省略したものに関して、制御装置ＣＲのほか、図に例示するように、本体部分１００ｐのうち第１表示装置１００Ａの近傍には、カメラＣＡが取り付けられていたり、あるいは各種センサーが設けられていたりし得る（詳しくは図１３等を参照して後述する）。
【００７４】
頭部搭載型表示装置１００のうち、制御装置ＣＲは、各種演算処理を行うＣＰＵや記憶装置（記憶部）、入力装置等で構成されている。制御装置ＣＲは、入力装置としてのタッチパネル部分やボタン部分等を有して観察者から各種動作の指示を受け付けるためのコントローラーとしても機能する。制御装置ＣＲは、各種演算処理を行うことで、頭部搭載型表示装置１００において所望の映像を映し出すための映像信号等の各種信号を本体部分１００ｐ（特に図２等に示す画像表示装置８０Ｒ，８０Ｌ）に対して送信する。見方を変えると、本体部分１００ｐは、制御装置ＣＲからの指示に従い表示動作を行う表示装置として機能しているとも言える。
【００７５】
以下、図１３を参照して、頭部搭載型表示装置１００の制御のうち特に表示動作の制御に関して説明する。
【００７６】
図１３は、図１２に示す頭部搭載型表示装置１００の制御を説明するための構成について一例を示したブロック図である。図示のように、ここでは、制御装置ＣＲ側から本体部分１００ｐに各種信号（特に映像信号）の送信がなされる。また、本体部分１００ｐには、カメラＣＡのほか、各種のセンサーＳＥが装置内部に設けられている。各種のセンサーＳＥとしては、例えばジャイロセンサー等により構成され、加速度等を検出して観察者の姿勢や動き等を把握可能にするモーションセンサーＭＳや視線検出部である視線センサーＳＳ等を設けることが考えられる。これらから取得された各種情報については、本体部分１００ｐ側からに制御装置ＣＲに送信がなされる。
【００７７】
以下、制御装置ＣＲの構成について詳細に説明する。まず、頭部搭載型表示装置１００のうち、制御装置ＣＲは、ＣＰＵ（主制御部）１１０と、記憶部１２０と、操作部１３０と、通信部１４０と、インターフェイス１８０と、送信部（Ｔｘ）１９１及び１９２とを備える。
【００７８】
記憶部１２０は、ＲＯＭやＲＡＭ等により構成されており、種々のコンピュータープログラムや各種データが格納されている（例えば図１４参照）。ＣＰＵ１１０は、記憶部１２０からコンピュータープログラムやデータを読み出して実行することにより、オペレーティングシステム（ＯＳ）１５０、画像処理部、表示制御部、入力信号処理部等として機能する。すなわち、ＣＰＵ１１０は、各種演算処理を行って頭部搭載型表示装置１００の制御全体を司る主制御部として機能する。
【００７９】
操作部１３０は、観察者又は使用者により操作される外部入力受付装置（入力装置）であり、例えば決定キー、表示切替キー、トラックパッド、輝度切替キー、方向キー、メニューキー等で構成され、観察者又は使用者による操作入力に応じた信号を取得する。
【００８０】
通信部１４０は、電磁波を利用して他の機器等との無線通信を行うものであり、例えば無線ＬＡＮやＢｌｕｅｔｏｏｔｈ（登録商標）、ＺｉｇＢｅｅ（登録商標）といった所定の無線通信規格に則って他の機器との間で無線通信を行なう。
【００８１】
インターフェイス１８０は、画像（静止画像、動画像）や音声等のコンテンツデータの供給元となる種々の外部装置ＯＡ（例えば、パーソナルコンピューターや携帯電話端末、ゲーム端末等）を接続するためのものである。インターフェイス１８０としては、例えばＵＳＢインターフェイスやメモリーカード用インターフェイス、無線ＬＡＮインターフェイス等を採用することができる。
【００８２】
送信部１９１、１９２は、ＣＰＵ１１０において生成された映像信号を含む各種データを、本体部分１００ｐを構成する第１及び第２表示装置１００Ａ，１００Ｂに対してそれぞれ送信する。すなわち、送信部１９１、１９２は、制御装置ＣＲと第１及び第２表示装置１００Ａ，１００Ｂとの間におけるシリアル伝送のためのトランシーバーとして機能している。なお、送信部１９１を介して送信される映像信号（画像データ）を「右眼用画像データ」とも呼び、送信部１９２を介して送信される映像信号（画像データ）を「左眼用画像データ」とも呼ぶものとする。
【００８３】
以下、図２に示す頭部搭載型表示装置１００のうち、本体部分１００ｐ側における処理について説明する。図示のように、ここでは、本体部分１００ｐの表示装置１００Ａ，１００Ｂにおいて画像表示を行うために、画像表示装置８０Ｒ，８０Ｌは、制御装置ＣＲからの信号を受け付ける受信部（Ｒｘ）１９３，１９４をそれぞれ備える。すなわち、受信部１９３，１９４は、制御装置ＣＲと第１及び第２表示装置１００Ａ，１００Ｂとの間におけるシリアル伝送のためのレシーバーとして機能している。画像表示装置８０Ｒ，８０Ｌは、受信部（Ｒｘ）１９３，１９４でそれぞれ受け取った右眼用画像データと左眼用画像データとに基づいて画像形成を行う。
【００８４】
以上のような構成において、制御装置ＣＲのうち、ＣＰＵ１１０が表示制御部（あるいは画像処理部）１５０として機能する場合、表示制御部１５０は、例えばインターフェイス１８０を介して入力されるコンテンツ等に含まれる画像信号を取得し、取得した画像信号に基づいて、同期信号等の各種信号とともに画像データ（右眼用画像データと左眼用画像データ）を生成する。表示制御部１５０は、生成したこれらの信号を頭部搭載型表示装置１００の表示動作を制御するための映像信号として、本体部分１００ｐを構成する第１及び第２表示装置１００Ａ，１００Ｂ（第１及び第２表示部）に供給する。すなわち、ＣＰＵ１１０は、生成した映像信号を、送信部１９１、１９２を介して受信部１９３，１９４にそれぞれ送信することで、画像表示の制御をする。
【００８５】
ここで、表示制御部１５０は、送信する映像信号（画像データ）として、第１及び第２共通表示エリア用の共通画像情報ＣＩと、拡張表示エリア用の拡張画像情報である第１及び第２拡張表示エリア用の第１及び第２拡張画像情報ＥＩ１，ＥＩ２とを含む信号を生成している。すなわち、表示制御部１５０は、共通表示エリアのうち右眼に視認させるための画像表示を行う第１共通表示エリアに対応する画像データである共通画像情報ＣＩと、拡張表示エリアのうち右眼において視認させるための画像表示を行う第１拡張表示エリアに対応する画像データである第１拡張画像情報ＥＩ１とを含む映像信号ＶＶ１を右眼用画像データとして生成し、送信部１９１を介して第１表示装置１００Ａに送信する。同様に、表示制御部１５０は、共通表示エリアのうち左眼に視認させるための画像表示を行う第２共通表示エリアに対応する画像データである共通画像情報ＣＩと、拡張表示エリアのうち左眼において視認させるための画像表示を行う第２拡張表示エリアに対応する画像データである第２拡張画像情報ＥＩ２とを含む映像信号ＶＶ２を左眼用画像データとして生成し、送信部１９２を介して第２表示装置１００Ｂに送信する。なお、例えば拡張表示エリアが第１拡張表示エリア及び第２拡張表示エリアのうちどちらか一方のみ存在するような場合（図９参照）には、第１及び第２拡張画像情報ＥＩ１，ＥＩ２のうち対応する一方のみが存在することになる。すなわち、拡張表示エリア用の拡張画像情報が１種類のみ存在する。
【００８６】
ここで、本実施形態における表示制御部１５０は、さらに、共通画像情報と第１及び第２拡張画像情報ＥＩ１，ＥＩ２とを調整して、第１及び第２共通表示エリアと第１及び第２拡張表示エリアとで画像表示態様の異なる複数の表示モードでの切替えを可能とする表示モード制御部１６０を有する（あるいは表示モード制御部１６０として機能する）。
【００８７】
ここでは、表示モード制御部１６０において設定可能な異なる複数の表示モードの一例として、第１及び第２共通表示エリアと拡張表示エリアとでの重畳の有無を加味した明るさの差すなわち観察者にとっての見た目の明るさの差を抑えて表示する全体表示モードと、第１及び第２共通表示エリアと拡張表示エリアとでの重畳の有無を加味した明るさの差すなわち観察者にとっての見た目の明るさの差をつけて表示する注視表示モードと、これら以外の通常表示を行うための通常表示モードが選択可能であるものとする。なお、これは一例であり、例えばこれら３つのモード以外の表示モードをさらに有するものとしてもよい。
【００８８】
また、表示制御部１５０は、表示モード制御部１６０において選択すべきモードを判断するための判断部である状況判断部１７０を有する（あるいは状況判断部１７０として機能する）。表示制御部１５０は、外部からの情報入力を受け付け、受け付けた情報に基づいて共通画像情報と拡張画像情報とを定めることで、表示モード制御部１６０において設定すべきモードを決定する。
【００８９】
以下、図１３や図１４等を参照して、表示モード制御部１６０や状況判断部１７０を有する表示制御部１５０の表示制御のための動作について説明する。図１４は、記憶部１２０の一構成例について説明するためのブロック図である。図示のように、記憶部１２０は、各種プログラムを格納するためのプログラム領域を有するプログラム記憶部ＰＭと、各種データを格納するためのデータ領域を有するデータ記憶部ＤＭとで構成されている。
【００９０】
記憶部１２０の構成要素のうち、プログラム記憶部ＰＭは、表示モード制御部１６０における表示モードの切替え（設定）を行うための表示モード制御プログラムＭＰと、各種入力信号の処理を行うための入力信号処理プログラムＩＰと、状況判断部１７０において外部から受け付けた情報に基づき生成すべき映像信号を判断するための状況判断プログラムＪＰと、映像信号を生成するための映像信号生成プログラムＶＰとを有する。
【００９１】
表示モード制御プログラムＭＰは、ＣＰＵ１１０（あるいは表示制御部１５０）が上述したような表示モード制御部１６０として機能するために、複数の表示モードを構成する各表示モードでの設定でそれぞれ画像信号を生成させるためのプログラムで構成されている。ここでは、上述のように、全体表示モード、注視表示モード及び通常表示モードが選択可能であるものとしており、これに対応すべく、表示モード制御プログラムＭＰは、全体表示モード設定プログラムＭＰ１、注視表示モード設定プログラムＭＰ２及び通常表示モード設定プログラムＭＰ３で構成されているものとする。すなわち、ＣＰＵ１１０（あるいは表示制御部１５０）は、３つのモードのうち一を適宜選択し、対応する表示モード設定プログラムを読み出して実行することで、表示モード制御部１６０として機能する。
【００９２】
入力信号処理プログラムＩＰは、ＣＰＵ１１０の外部から入力された各種入力信号を処理するためのプログラムである。なお、ここでの各種入力信号については、操作部１３０や通信部１４０、あるいはインターフェイス１８０を介した外部装置ＯＡからの入力信号に加え、本体部分１００ｐに付随するカメラＣＡやセンサーＳＥからの入力信号（情報）も対象とする。すなわち、ＣＰＵ１１０は、入力信号処理プログラムＩＰを読み出して適宜実行することで、入力信号処理部として機能する。
【００９３】
状況判断プログラムＪＰは、ＣＰＵ１１０（あるいは表示制御部１５０）が上述したような状況判断部１７０として機能するために、外部から受け付け入力信号処理プログラムＩＰにより処理された各種情報に基づき生成すべき映像信号を判断するためのプログラムである。具体的には、例えばインターフェイス１８０を介して受け付けた外部装置ＯＡからの画像信号の映像コンテンツが３Ｄ映像や映画に関するものであるか、ＰＣの作業画面等であるかといったことや、常時注視する映像であるか、あるいは時刻、注意情報、メール着信、アイコン等ツールバー等のように常時見ないものを含むかといったことを分析し、各コンテンツあるいはその一部が共通画像情報とすべきものであるか、拡張画像情報とすべきものであるか、といったことを定める（判断する）。すなわち、ＣＰＵ１１０は、表示制御部１５０として、入力された視認させるべき画像表示の映像コンテンツのうち、注視させるべき映像コンテンツと注視させるべき映像コンテンツ以外の映像コンテンツとを判別する。これにより、例えば表示制御部１５０（ＣＰＵ１１０）は、注視させるべき映像コンテンツを共通画像情報とし、注視させるべき映像コンテンツ以外の映像コンテンツを拡張画像情報として含むように映像信号を生成することができる。また、状況判断部１７０としてのＣＰＵ１１０は、例えばカメラＣＡやセンサーＳＥからの入力信号に基づいて観察者の周囲環境や観察者の視線や姿勢等といった外部環境を検知し、これに基づいて表示する態様を定めることも可能である。端的には、状況判断部１７０は、例えば上記３つの表示モードのうち選択すべき一の表示モードを判断する。このほか、例えば観察者が操作部１３０を適宜操作することにより、操作部１３０から３つの表示モードのうち選択すべき一の表示モードの設定指令について入力信号があった場合には、状況判断部１７０は、これに応じた表示動作を行うべきと判断する。すなわち、ＣＰＵ１１０（あるいは表示制御部１５０）は、状況判断プログラムＪＰを読み出して適宜実行することで、状況判断部１７０として機能する。
【００９４】
映像信号生成プログラムＶＰは、ＣＰＵ１１０が表示制御部１５０として機能するためのプログラムであり、映像信号を生成するために各種処理を行うためのプログラム群で構成されており、例えば、各種画像処理を行うための画像処理プログラムＧＰを有している。ＣＰＵ１１０は、上述した各プログラムにおける入力信号の受付やその処理、あるいは外部環境等の状況判断の結果、さらには選択された表示モードに基づいて、映像信号生成プログラムＶＰを読み出して適宜実行することで、映像信号を生成する表示制御部１５０として機能する。
【００９５】
記憶部１２０の構成要素のうち、データ記憶部ＤＭは、表示モード制御プログラムＭＰのうちから選択（設定）されている表示モードに関するデータを格納する設定表示モード記憶部ＭＤと、入力信号処理プログラムＩＰにおける処理対象となるデータあるいは処理が完了したデータを格納する入力信号データ記憶部ＩＤと、状況判断プログラムＪＰにおける各種判断の基準となるデータを格納する判断基準値データ記憶部ＪＤとを有する。このほか、データ記憶部ＤＭは、例えば外部入力した信号のうち画像データに関するものを格納する外部入力画像データ記憶部ＧＤ１や固定的な映像コンテンツとして内部に元々有している画像データを格納する内部固定画像データ記憶部ＧＤ２等を有する。画像データ記憶部ＧＤ１，ＧＤ２に格納されるデータについては、例えば立ち上げ時に固定的に表示される画像データやアラート表示用の画像データ、アイコン画像データ等のようなもの（特に何度も呼び出されるもの）が想定される。
【００９６】
ここで、全体表示モード設定での表示制御と注視表示モード設定での表示制御とに関してもう少し具体的に説明する。まず、図１５（Ａ）〜１５（Ｃ）は、全体表示モード設定での表示制御のための輝度の調整に関して一例を説明するための図である。また、図１５（Ｄ）は、注視表示モード設定での表示制御のための輝度の調整に関して一例を説明するための図である。なお、ここでは、説明の簡略化するため、第１映像領域Ｐａ１，Ｐｂ１と第２映像領域Ｐａ２，Ｐｂ２とでの最大輝度同士を相対的比率（％）で標記する。
【００９７】
まず、図１５（Ａ）及び１５（Ｂ）は、全体表示モード設定において、左右一対の各映像領域での輝度について一例を概念的に示す図である。図示のように、各映像領域ＰＡａ，ＰＡｂのうち、拡張表示エリアである第１及び第２拡張表示エリアに対応する第２映像領域Ｐａ２，Ｐｂ２での輝度を１００％としているのに対して、第１及び第２共通表示エリアに対応する第１映像領域Ｐａ１，Ｐｂ１での輝度を５０％としている。すなわち、片眼ずつで各映像を見た場合には、第１映像領域Ｐａ１，Ｐｂ１のほうが第２映像領域Ｐａ２，Ｐｂ２よりも暗く見えることになる。以上のように、ＣＰＵ１１０（あるいは表示制御部１５０）は、全体表示モードを設定した場合に、第１及び第２共通表示エリアの輝度を拡張表示エリアの輝度よりも抑えて画像制御を行っている。第１及び第２共通表示エリアの輝度を拡張表示エリアの輝度よりも抑えておくことで、重畳したものとして視認されることで明るいと感じることを加味して表示全体の明るさのバランスを取り、観察者に全体としてあたかも一体的に拡張された１つの画像であるかのように視認させることができる。特に、上記の場合、第１共通表示エリアの輝度及び第２共通表示エリアの輝度は、ともに拡張表示エリアの輝度の半分になっている。これにより、図１５（Ｃ）において概念的に示すように、重畳したものとして視認される第１及び第２共通表示エリアの表示画像（第１映像領域ＰＡｃ）の見かけ上の明るさが拡張表示エリアの表示画像（第２映像領域Ｐａ２，Ｐｂ２）の明るさと等しくなることで、観察者に全体としてあたかも一体的に拡張された１つの画像であるかのように視認させることができる。すなわち、結果的に重畳して視認される第１映像領域ＰＡｃと重畳されない第２映像領域Ｐａ２，Ｐｂ２とでは全体としては重畳の有無を加味した見た目の明るさの差が抑えられて表示していることになる。つまり、観察者は、第１映像領域ＰＡｃ及び第２映像領域Ｐａ２，Ｐｂ２を繋げた全体を１つの大きな映像領域として捉えるに際して、特に明るさや色斑等の違和感を生じることなく映像を視認できる。
【００９８】
図１５（Ｄ）は、図１５（Ｃ）に対応する図であり、注視表示モード設定における輝度の様子を概念的に示している。図示の例では、上記の場合と異なり、第１及び第２共通表示エリアの輝度と拡張表示エリアの輝度とを同じ輝度の１００％としている。この場合、結果的に重畳して視認される第１映像領域ＰＡｃと重畳されない第２映像領域Ｐａ２，Ｐｂ２とでは全体としては重畳の有無を加味した見た目の明るさの差をつけて表示していることになる。以上のように、注視表示モードでは、第１及び第２共通表示エリアと拡張表示エリアとで輝度差がついていることで、例えば第１及び第２共通表示エリアをより明るくして観察者の視線を第１及び第２共通表示エリアに対応する画像表示の範囲に集中させる（注視させる）ことができる。つまり、観察者は、第１映像領域ＰＡｃ及び第２映像領域Ｐａ２，Ｐｂ２を繋げた全体を１つの大きな映像領域として捉えつつも、特に中央側においてより明るい映像を視認できる。なお、上記の例では、第１映像領域Ｐａ１，Ｐｂ１での輝度と第２映像領域Ｐａ２，Ｐｂ２での輝度とをともに１００％として差がないものとしているが、例えば第１映像領域Ｐａ１及び第１映像領域Ｐｂ１での輝度をともに７０％とし第２映像領域Ｐａ２，Ｐｂ２での輝度を１００％とすることも考えられる。このようにしても、重畳して視認される第１映像領域ＰＡｃ（第１映像領域Ｐａ１，Ｐｂ１）のほうが第２映像領域Ｐａ２，Ｐｂ２よりも明るく感じられると考えられる。
【００９９】
以下、図１６のフローチャート等を参照して、本実施形態の頭部搭載型表示装置１００を用いた表示動作の処理の一例について説明する。頭部搭載型表示装置１００の電源（図示略）を入れることで頭部搭載型表示装置１００が起動して表示動作の処理が開始されると、まず、表示制御部１５０としてのＣＰＵ１１０は、表示態様を定めるべく状況判断の処理を行う（ステップＳ１０１）。すなわち、ＣＰＵ１１０は、記憶部１２０に格納される状況判断プログラムＪＰを読み出すことで、状況判断部１７０として機能する。上記のように状況判断部１７０は、種々の条件に基づき画像信号に振り分け等を行うが、ここでは、説明を簡単にするために状況判断部１７０による判断の結果、上記した３つの表示モード（全体表示モード、注視表示モード及び通常表示モード）のうち一の表示モードが選択され、選択されたモードに基づく映像信号の生成がなされるものとする。すなわち、ＣＰＵ１１０は、ステップＳ１０１において、表示モード制御プログラムＭＰに含まれるものの中から適宜一のプログラムを選択する。次に、ＣＰＵ１１０は、状況判断部１７０として状況変更があったか否かを確認し（ステップＳ１０２）、状況変更があったと判断された場合（ステップＳ１０２；Ｙｅｓ）、ステップＳ１０１に戻り、状況判断部１７０として再度状況判断を行い、表示態様を定める、すなわち選択すべき表示モードの判定を行う。一方、ステップＳ１０２において、状況変更がなければ（ステップＳ１０２；Ｎｏ）、ステップＳ１０２において選択された表示モード設定プログラムを読み出すとともに、映像信号生成プログラムＶＰを適宜読み出して、第１及び第２共通表示エリア用の共通画像情報ＣＩと拡張表示エリア用の拡張画像情報ＥＩ１，ＥＩ２とを含む映像信号ＶＶ１，ＶＶ２の生成を行い（ステップＳ１０３）、生成された映像信号ＶＶ１，ＶＶ２を送信する（ステップＳ１０４）。ステップＳ１０４での信号送信の後、ＣＰＵ１１０は、頭部搭載型表示装置１００による表示動作を終了する旨の指令信号を受けているか否かを確認し（ステップＳ１０５）、確認されれば（ステップＳ１０５；Ｙｅｓ）表示動作を終了する。一方、表示動作を終了する旨の指令信号を受けていることが確認されなければ（ステップＳ１０５；Ｎｏ）、ＣＰＵ１１０は、再びステップＳ１０２において状況判断部１７０として状況変更があったか否かを確認する。すなわち、状況変更又は表示動作の終了がなされない限り、設定された表示モードに基づく映像信号の生成及び送信を続ける。
【０１００】
図１７は、上記ステップＳ１０１に示す判断処理での処理内容について一例を示すフローチャートである。ここでは、上記のように、ステップＳ１０１において、３つの表示モード（全体表示モード、注視表示モード及び通常表示モード）のうち一の表示モードが選択されるものの一例を示す。まず、状況判断部１７０としてのＣＰＵ１１０は、３つの表示モードのうち、何らかの方法によって全体表示モード又は注視表示モードの設定がされているか否かを確認する（ステップＳ２０１）。ここで、ステップＳ２０１において全体表示モードや注視表示モードの設定がなされる場合としては、例えば外部入力のデータから映像コンテンツが３Ｄ映像や映画に関するものであることが分かっておりこれに応じて注視表示モードに自動的に設定される、といったことが考えられる。また、他の例としては、ＰＣの作業画面であるが壁紙が表示された状態であることが分かっておりこれに応じて壁紙の明るさが中央側（共通画像側）と周辺側（拡張画像側）とで差が生じないように全体表示モードに自動的に設定されるといった場合も考えられる。このほか、操作部１３０による信号指令（手動による信号指令）や通信部１４０による信号指令（遠隔操作による信号指令）により表示モードに強制的に設定されている場合等も考えられる。
【０１０１】
ステップＳ２０１において、全体表示モード又は注視表示モードの設定がされていると判断された場合（ステップＳ２０１；Ｙｅｓ）、ＣＰＵ１１０は、設定された表示モードを維持すべきと判断し（ステップＳ２０２）、ステップＳ１０１における処理を終了し、図１６のステップＳ１０２以下の処理に移る。
【０１０２】
一方、ステップＳ２０１において、全体表示モード及び注視表示モードのいずれの設定もされていないと判断された場合（ステップＳ２０１；Ｎｏ）、ＣＰＵ１１０は、通常表示モードによる動作を行う（ステップＳ３００）。通常表示モードによる動作については、種々のものが考えられるが、ここでは、一例として、まず、ＣＰＵ１１０は、状況判断部１７０として、モーションセンサーＭＳからの数値が閾値以上であるか否かを確認する（ステップＳ２０３）。具体的には、ＣＰＵ１１０は、本体部分１００ｐに付随するセンサーＳＥのうちモーションセンサーＭＳからのデータを入力信号データ記憶部ＩＤから読み出すとともに、判断基準値データ記憶部ＪＤから対応する閾値（例えば加速度や傾き等に関する閾値）を読み出してこれらを比較する。この結果、数値が閾値未満である場合（ステップＳ２０３；Ｎｏ）には、観察者の姿勢や状態等が頭部搭載型表示装置１００による観察をするのに問題ない状態にあると判断し、通常の表示動作を行う（ステップＳ２０４）。ここでは一例として、ステップＳ２０４において全体表示モード設定と同一の設定に基づく画像表示を行うものとする。一方、ステップＳ２０３において、数値が閾値以上である場合（ステップＳ２０３；Ｙｅｓ）には、観察者の姿勢や状態等が頭部搭載型表示装置１００による観察をするのに問題がある状態となっている可能性があると判断し、共通表示エリアでの表示を中止し拡張表示エリアのみを表示可能とするか、あるいは共通表示エリアのみならず拡張表示エリアまでを含めた全てのエリアの表示を中止するべき（全オフにするべき）と判断し（ステップＳ２０５）、ステップＳ１０１における処理を終了し、図１６のステップＳ１０２以下の処理に移る。なお、以上のようなステップＳ１０１に示す判断処理の結果、表示モード設定が変更されるごとに、表示モード制御部１６０としてのＣＰＵ１１０は、設定表示モード記憶部ＭＤに格納されている表示モードに関するデータを書き換え、当該データに基づいて設定された表示モードに基づく画像処理（あるいは信号生成）がなされる。
【０１０３】
以上の図１７に示した例の場合、図１６のステップＳ１０２における状況の変更の有無の判断の基準は、例えば表示モードの切替えに関する入力信号やモーションセンサーＭＳで検出される数値の変更等に依存することになる。なお、図１６等に示したものはあくまで一例であり、種々の態様が考えられる。例えば、センサーＳＥからの情報に関しては、モーションセンサーＭＳに限らず、カメラＣＡからの情報や通信部１４０等を利用した位置検知等に基づき外部環境についての状況判断を行うことも考えられる。カメラＣＡについては、例えば特定の位置に設置された２次元コードを読み取って位置検知をすることや、通信機能としてＧＰＳ等を利用した位置検知や移動速度の検出等を判断基準とすることで、例えば歩いている、走っている、あるいは乗り物（車両等）に乗っているといったことを判断可能にし、例えば乗り物に乗っている場合には拡張表示エリアのみを表示可能とし道案内情報のみ提供可能となるように制御する、といったことも考えられる。また、例えば図１７のうちステップＳ３００として示した箇所について状況判断に適用する情報等に応じて変形する（通常表示モードの設計を変更する）か、あるいは新たに表示モードを設定する、すなわち適宜各種プログラムを組み替えることで対処可能である。また、この際、例えば判断基準値データ記憶部ＪＤに格納する各種データについて適宜追加・変更等すればよい。また、図１７の例では、ステップＳ３００のうちステップＳ２０５において、表示エリアの一部または全部をオフにするとしているが、これに限らず、ある条件下では、例えば共通表示エリア（第１映像領域ＰＡｃ（Ｐａ１，Ｐｂ１））にアラート表示をするといったことも考えられる。また、センサーＳＥとして用いるものについても種々の物が考えられ、上記の他、例えば観察者の脈拍や脳波等を測定し、これらの測定結果に基づいて状況判断を行うものとしてもよい。
【０１０４】
以上のように、本実施形態の頭部搭載型表示装置１００では、第１及び第２表示部である第１及び第２表示装置１００Ａ，１００Ｂにおいて、左右の眼に共通内容の画像表示を行う第１及び第２共通表示エリアをそれぞれ有している上で、第１及び第２表示装置１００Ａ，１００Ｂのうち少なくとも一方において拡張表示エリアを有し、表示制御部１５０において、第１及び第２共通表示エリア用の共通画像情報と拡張表示エリア用の拡張画像情報とを含む信号を生成することで、種々の画像表示を可能としている。
【０１０５】
以下、図１８（Ａ）及び１８（Ｂ）を参照して、本実施形態に係る表示動作の制御について一変形例を説明する。
【０１０６】
図１８（Ａ）等に示すように、本変形例では、センサーＳＥを構成する視線検出部である視線センサーＳＳにより観察者の眼ＥＹ１，ＥＹ２の動きを捉え、これに応じた表示制御を行うものとする。視線センサーＳＳについては、例えば、発光部ＥＥと受光部ＲＲとを有しており、発光部ＥＥから眼ＥＹ１，ＥＹ２に弱い赤外光を当てて網膜と角膜の反射光を受光部ＲＲで捉えることにより、視線方向を検出し、視線検出部として機能させることが考えられる。
【０１０７】
以下、表示制御の具体的な一例を説明する。まず、図１８（Ａ）に示すように、視線センサーＳＳにより観察者の眼ＥＹ１，ＥＹ２が正面方向すなわち映像領域ＰＡのうち共通表示エリアに対応する第１映像領域ＰＡｃ（Ｐａ１，Ｐｂ１）に向いていると判断される場合には、第１映像領域ＰＡｃ（Ｐａ１，Ｐｂ１）のみで画像表示を行う。一方、図１８（Ｂ）に示すように、視線センサーＳＳにより観察者の眼ＥＹ１，ＥＹ２が左側方向すなわち映像領域ＰＡのうち拡張表示エリアに対応するものの１つである左眼のみで見える第２映像領域Ｐｂ２に向いていると判断される場合には、第１映像領域ＰＡｃ（Ｐａ１，Ｐｂ１）に加え、第２映像領域Ｐｂ２で画像表示（画像ＭＭ１の表示）を行う。すなわち、表示制御部１５０としてのＣＰＵ１１０は、視線センサーＳＳの検出結果に応じて表示態様の切替えを行うことで、観察者の眼ＥＹ１，ＥＹ２の動きに対応した表示を行うことができるものとなっている。なお、上記に関して、例えば視線センサーＳＳの検出結果に応じて上述した注視表示モード等の複数の表示モードを切り替えることで、表示態様の切替えを行うものとしてもよい。
【０１０８】
上記のような態様において、拡張表示エリアに対応する画像表示の内容としては、例えば時刻、注意情報、メール着信、アイコン、ツールバー等の常時は見ないようなものとすることが考えられる。
【０１０９】
以下、図１９（Ａ）及び１９（Ｂ）を参照して、本実施形態に係る表示動作の制御について他の一変形例を説明する。まず、図１９（Ａ）と図１９（Ｂ）とは、経時的に先の画像表示の状態が図１９（Ａ）であり、図１９（Ｂ）は、図１９（Ａ）を表示した後、所定の時間（例えば数秒）経過後の表示状態を示すものである。本変形例では、まず、図１９（Ａ）に示すように、表示制御部１５０としてのＣＰＵ１１０は、拡張表示エリアに対応する第２映像領域Ｐｂ２において行った画像ＭＭ１の表示を所定の時間行った後に、図１９（Ｂ）に示すように、第２映像領域Ｐｂ２での表示を終了するとともに、当該表示と同じ内容である画像ＭＭ１の表示を第１及び第２共通表示エリアに対応する第１映像領域ＰＡｃ（Ｐａ１，Ｐｂ１）で行わせるように画像動作を制御している。また、図１９（Ａ）に示す状態から図１９（Ｂ）に示す状態に表示態様を変更するか否かについては、例えば図示のように、視線センサーＳＳにより観察者の眼ＥＹ１，ＥＹ２の動きを捉えるものとしておき、図１９（Ａ）に示す第２映像領域Ｐｂ２の画像ＭＭ１を、眼ＥＹ１，ＥＹ２が所定の時間以上見つめ続けていると判断されていることを条件とするものとしてもよい。この場合、例えば図１９（Ａ）に示した状態では、拡張表示エリアに対応する第２映像領域Ｐｂ２側に向けられていた観察者の視線（眼ＥＹ１，ＥＹ２の向き）を、第１及び第２共通表示エリアに対応する第１映像領域ＰＡｃ（Ｐａ１，Ｐｂ１）側に変更させることができる。これにより、例えば拡張表示エリアでの注視を抑制することができる。また、図１９（Ａ）に示す状態から図１９（Ｂ）に示す状態に表示態様を変更するに際して、画像ＭＭ１の表示を全く同一とする態様に限らず、例えばより詳細な情報を表示するものとしてもよい。具体的には、第２映像領域Ｐｂ２での表示の際には、今日の天気のアイコンを表示し、第１映像領域ＰＡｃ（Ｐａ１，Ｐｂ１）に表示するときには、より詳しく１週間の天気の情報を表示するようにする、といったことが考えられる。なお、上記では、両眼ＥＹ１，ＥＹ２の向きについて視線検知を行うものとしているが、これに限らず、例えば画像が表示されている側の眼（片方の眼）のみを検知対象とする等、片方の眼のみ検知するものとしてもよい。また、上記のように、拡張表示エリアでの表示を共通表示エリアに移す場合において、表示が移動したことを示すための画像（例えば矢印等）を短時間併せて表示させるようにしてもよい。
【０１１０】
以下、図２０（Ａ）及び２０（Ｂ）を参照して、本実施形態に係る表示動作の制御について別の一変形例を説明する。図２０（Ａ）は、拡張表示エリアに対応するものの１つである右眼のみで見える第２映像領域Ｐａ２の様子について説明するための図であり、図２０（Ｂ）は、第２映像領域Ｐａ２の表示の様子を示す図である。図示のように、ここでは、第２映像領域Ｐａ２においてサブ的な情報画像として注意情報、天気予報等のような画像を例えばアイコン画像ＩＣ，ＩＣとして表示しているものとする。すなわち、例えばこれらのアイコン画像ＩＣ，ＩＣの画面上にカーソル（図示略）を移動させてクリック動作をすることで各アイコン画像ＩＣ，ＩＣに対応する内容（注意情報や天気予報の詳細）の画像表示が行われるものとなる。一方、第２映像領域Ｐｂ２のうちこれらのアイコン画像ＩＣ，ＩＣ以外の映像領域の画像を背景画像ＢＣとする。言い換えると、表示制御部１５０としてのＣＰＵ１１０は、拡張表示エリアに対応する第２映像領域Ｐｂ２における、背景画像ＢＣと背景画像ＢＣ以外の他の画像としてのアイコン画像ＩＣ，ＩＣとについての表示動作の制御を行っている。本変形例では、ＣＰＵ１１０は、拡張表示エリアにおける背景画像ＢＣの輝度を他の画像よりも抑えるように表示制御している。この結果、図２０（Ｂ）に示すように、拡張表示エリアに対応する第２映像領域Ｐｂ２において、アイコン画像ＩＣ，ＩＣのみが表示されているかのように視認させることができる。特に、画像表示装置８０Ｒ，８０Ｌを、例えば有機ＥＬ等の自発光型の素子構成される画像表示素子で構成する場合、背景画像ＢＣに対応する箇所の輝度を十分に落とすことができ、この場合、外界像をシースルーで視認又は観察させることができる虚像表示装置である頭部搭載型表示装置１００においてあたかも中空にアイコン画像ＩＣ，ＩＣが表示されているかのごとく感じさせることができる。また、アイコン画像に限らず、バナー等の画像を第２映像領域Ｐａ２（Ｐｂ２）において、上記と同様な態様で表示してもよい。
【０１１１】
また、上述した注視表示モードにおいて、上記と同様に、背景画像ＢＣに関して、輝度を落としたり、あるいは黒やグレー等の目立たない色にしたりすることで、注視させたい共通表示エリアの画像に観察者をより集中させるものとしてもよい。
【０１１２】
以下、図２１を参照して、本実施形態に係る表示動作の制御についてさらに別の一変形例を説明する。図２１に示すように、本変形例では、表示制御部１５０としてのＣＰＵ１１０は、拡張表示エリアに対応する第２映像領域Ｐａ２，Ｐｂ２において例えばナビ情報（地図情報）の画像ＭＭ１やアイコン画像ＩＣ，ＩＣの表示を行っている場合に、当該表示を行っている旨の補助画像ＳＵ１，ＳＵ２を第１及び第２共通表示エリアに対応する第１映像領域ＰＡｃ（Ｐａ１，Ｐｂ１）に表示させている。この場合、拡張表示エリアに対応する画像表示について観察者に視認を促すことができる。なお、補助画像ＳＵ１，ＳＵ２については、種々のものが考えられ、図示のような文字や矢印の他、アイコン等による表示とすることも考えられる。また、補助画像ＳＵ１，ＳＵ２の画像サイズや位置についても種々の態様であってよい。図示の例では、説明上分かりやすいように大きく表示しているが、視認できる範囲でもっと小さいものとしてもよく、表示する位置も種々のものにできる。また、点滅表示灯を行うものとしてもよい。
【０１１３】
この発明は、上記の各実施形態に限られるものではなく、その要旨を逸脱しない範囲において種々の態様で実施することが可能である。
【０１１４】
例えば、上記では、画像表示装置８０（８０Ｒ，８０Ｌ）は、例えば有機ＥＬ等の自発光型の素子構成される画像表示素子としているが、画像表示装置８０を、例えば透過型の空間光変調装置であるＬＣＤとこれへ照明光を射出するバックライトである照明装置や動作を制御する駆動制御部（不図示）を有する構成することも可能であり、この場合、表示制御部１５０としてのＣＰＵ１１０において生成される映像信号は、バックライト制御信号及びＬＣＤ制御信号（駆動信号）等で構成されるものとなる。
【０１１５】
また、上記では、制御装置ＣＲがケーブル４０により本体部分１００ｐと接続されており、制御装置ＣＲと本体部分１００ｐとが別体となっているが、例えば制御装置ＣＲの一部または全部が本体部分１００ｐと一体化していてもよい。あるいはケーブル４０を介することなく無線通信により制御装置ＣＲと本体部分１００ｐとが情報交換を行うものとしてもよい。
【０１１６】
また、上記の態様の場合、表示制御部１５０での映像信号ＶＶ１，ＶＶ２の生成において、表示モードに応じて共通画像情報ＣＩや拡張画像情報ＥＩ１，ＥＩ２に輝度に関する情報や画像表示を行う表示範囲に関する情報を含むことになるが、これらに加えて表示する画像の解像度に関する情報が含まれるようにすることも考えられる。例えば、図１８を参照して説明した場合のように、視線センサーＳＳの検出結果に応じて表示態様の切替えを行うに際して、視線が向いている時に注視される表示範囲についてのみ解像度を高くするように表示制御することも考えられる。このようにすることで、画像処理における計算量（処理量）を抑えることができる。
【０１１７】
上記において、画像表示装置８０としては、種々のものを利用可能であり、例えば、反射型の液晶表示デバイスを用いた構成も可能であり、液晶表示デバイス等からなる映像表示素子に代えてデジタル・マイクロミラー・デバイス等を用いることもできる。
【０１１８】
上記の説明では、第２面Ｓ１２のハーフミラー層を例えば金属反射膜や誘電体多層膜としたが、平面又は曲面のホログラム素子に置き換えることができる。
【０１１９】
上記の説明では、導光部材１０等が眼の並ぶ横方向に延びているが、導光部材１０を縦方向に延びるように配置することもできる。この場合、導光部材１０は、直列的ではなく並列的に平行配置された構造を有することになる。
【０１２０】
上記の説明では、画像光と外界光とを重畳させる態様についてのみ説明しているが、例えば重畳させずに画像光のみにする態様と外界光のみにする態様とを切り替えて観察することができる頭部搭載型表示装置（あるいは虚像表示装置）において適用してもよい。さらには、重畳させずに画像光のみを視認させるいわゆるクローズ型（シースルーでない）タイプの頭部搭載型表示装置において適用してもよい。
【０１２１】
また、本願発明の技術を、ディスプレイと撮像装置とで構成されるいわゆるビデオシースルーの製品に対応させるものとしてもよい。
【０１２２】
また、上述した頭部搭載型表示装置（あるいは虚像表示装置）を動作させるための各種プログラムに関しては、頭部搭載型表示装置（あるいは虚像表示装置）で読み取り可能な記憶媒体に格納されていてもよい。
【符号の説明】
【０１２３】
ＡＲ１，ＡＬ１…反射領域、ＡＲ２，ＡＬ２…反射領域、ＡＸ…光軸、ＢＣ…背景画像、ＣＡ…カメラ、ＣＩ…共通画像情報、ＣＲ…制御装置、ＤＭ…データ記憶部、ＤＸ…長辺幅、ＤＸ１…長辺幅、ＤＹ…短辺幅、ＤＹ１…短辺幅、ＥＥ…発光部、ＥＩ１…第１拡張画像情報、ＥＩ２…第２拡張画像情報、ＥＹ，ＥＹ１，ＥＹ２…眼、ＧＤ１…外部入力画像データ記憶部、ＧＤ２…内部固定画像データ記憶部、ＧＬ…映像光、ＧＬｐ，ＧＬａ，ＧＬｂ…成分光、ＧＰ…画像処理プログラム、ＩＣ…アイコン画像、ＩＤ…入力信号データ記憶部、ＩＰ…入力信号処理プログラム、ＪＤ…判断基準値データ記憶部、ＪＰ…状況判断プログラム、ＭＤ…設定表示モード記憶部、ＭＭ１…画像、ＭＰ…表示モード制御プログラム、ＭＰ１…全体表示モード設定プログラム、ＭＰ２…注視表示モード設定プログラム、ＭＰ３…通常表示モード設定プログラム、ＭＳ…モーションセンサー、ＯＡ…外部装置、ＯＢ１−ＯＢ３…画像オブジェクト、Ｐ３，Ｐ４…映像領域、ＰＡ…映像領域（共通表示エリア）、ＰＡａ…第１映像領域（第１共通表示エリア）、ＰＡｂ…第２映像領域（第２共通表示エリア）、ＰＲ，ＰＬ…表示パネル領域、ＰＲ１，ＰＬ１…第１領域、ＰＲ２，ＰＬ２…第２領域、Ｐａ１，Ｐｂ１…第１映像領域（拡張表示エリア、第１拡張表示エリア）、Ｐａ２，Ｐｂ２…第２映像領域（拡張表示エリア、第２拡張表示エリア）、Ｐ３…第３映像領域、Ｐ４…第４映像領域、ＲＲ…受光部、Ｓ１１−Ｓ１５…面、Ｓ５１−Ｓ５３…透過面、ＳＥ…センサー、ＳＳ…視線センサー、ＳＵ１，ＳＵ２…補助画像、ＴＬ…走査光、Ｖ１…弁別視野、Ｖ２…有効視野、Ｖ３…安定注視野、ＶＰ…映像信号生成プログラム、ＶＶ１，ＶＶ２…映像信号、ＶＸ…視野、１０…導光部材、１０…導光部材、１１，１２…導光部分、１５，１５Ｌ，１５Ｒ…ハーフミラー層、２０…導光装置、３０…投射レンズ、４０…ケーブル、５０…光透過部材、８０，８０Ｒ，８０Ｌ…画像表示装置、１００…頭部搭載型表示装置、１００Ａ…第１表示装置（第１表示部）、１００Ｂ…第２表示装置（第２表示部）、１００ｐ…本体部分、１０１ａ，１０１ｂ…光学部材、１０２…枠部、１０５ａ，１０５ｂ…像形成本体部、１０５ｂ…像形成本体部、１０７…フレーム、１２０…記憶部、１３０…操作部、１４０…通信部、１５０…表示制御部、１６０…表示モード制御部、１７０…状況判断部、１８０…インターフェイス、１８０Ｒ…画像表示装置、１８１ＲＲ，１８２ＲＲ…画像表示素子、１９１，１９２…送信部、１９３，１９４…受信部、２００…頭部搭載型表示装置、２０１ａ，２０１ｂ…光学部材、２０５ａ，２０５ｂ…駆動部、２０６ａ，２０６ｂ…映像素子、２８０…本体部分、２８１…信号光変調部、２８２…走査光学系、２８５…半透過反射膜、２８６…支持部材
【図１】
2018054976.tif 000003
【図２】
2018054976.tif 000004
【図３】
2018054976.tif 000005
【図４】
2018054976.tif 000006
【図５】
2018054976.tif 000007
【図６】
2018054976.tif 000008
【図７】
2018054976.tif 000009
【図８】
2018054976.tif 000010
【図９】
2018054976.tif 000011
【図１０】
2018054976.tif 000012
【図１１】
2018054976.tif 000013
【図１２】
2018054976.tif 000014
【図１３】
2018054976.tif 000015
【図１４】
2018054976.tif 000016
【図１５】
2018054976.tif 000017
【図１６】
2018054976.tif 000018
【図１７】
2018054976.tif 000019
【図１８】
2018054976.tif 000020
【図１９】
2018054976.tif 000021
【図２０】
2018054976.tif 000022
【図２１】
2018054976.tif 000023